(57)【特許請求の範囲】
【請求項１】
基地局により、少なくとも１つの第１スペクトルの使用許可を取得する段階と、
前記基地局により、第２スペクトルを用いてサービス移行メッセージを端末にブロードキャストする段階であって、前記サービス移行メッセージは、前記少なくとも１つの第１スペクトル上でサービスデータを受信するように前記端末に命令するために用いられる、段階と、
前記基地局により、前記少なくとも１つの第１スペクトル上の専用サブフレームの配置情報、及び前記サービスデータの伝送チャネル情報を前記端末に送信する段階と、
前記基地局により、前記専用サブフレームのうち最後のサブフレームに指示情報を追加する段階であって、前記指示情報は、後続のサブフレームに対してブラインド検出を実行するかを決定するために前記端末により用いられ、前記ブラインド検出は、前記後続のサブフレームが新しいサービスデータを保持しているかを決定するために用いられる、段階と、
前記基地局により、前記少なくとも１つの第１スペクトル上の前記専用サブフレームを用いて前記サービスデータを前記端末に送信する段階と
を備える
サービスデータ伝送方法。
【請求項２】
前記サービス移行メッセージは、前記少なくとも１つの第１スペクトルの周波数情報と、前記少なくとも１つの第１スペクトルを占有するセルのセル識別子と、前記サービスデータのサービス識別子とを含む、請求項１に記載のサービスデータ伝送方法。
【請求項３】
前記基地局は、Ｍの第１スペクトルの使用許可を取得し、Ｍは１に等しい、又は１より大きい正の整数であり、前記基地局により、前記少なくとも１つの第１スペクトル上の前記専用サブフレームを用いて前記サービスデータを前記端末に送信する前記段階は、
前記基地局により、前記サービスデータに対応するスケジューリング指示メッセージを前記端末に送信する段階であって、前記スケジューリング指示メッセージは、前記サービスデータの伝送チャネル識別子を含み、前記伝送チャネル識別子は、前記サービスデータが伝送される伝送チャネルを示すために用いられる、段階と、
前記基地局により、前記Ｍの第１スペクトル上の前記専用サブフレームを用いて前記サービスデータを送信する段階とを具体的に含む、請求項１又は２に記載のサービスデータ伝送方法。
【請求項４】
前記基地局は、Ｍの第１スペクトルの使用許可を取得し、Ｍは１より大きい正の整数であり、前記基地局により、前記少なくとも１つの第１スペクトル上の前記専用サブフレームを用いて前記サービスデータを前記端末に送信する前記段階は、
前記基地局により、前記サービスデータに対応するスケジューリング指示メッセージを前記端末に送信する段階であって、前記スケジューリング指示メッセージは、前記サービスデータの伝送チャネル識別子と、Ｎの第１スペクトルを占有するアンライセンスセルのセル識別子とを含み、前記伝送チャネル識別子は、前記サービスデータが伝送される伝送チャネルを示すために用いられ、前記Ｎの第１スペクトルは、前記Ｍの第１スペクトルのうち任意のＮの第１スペクトルであり、Ｎは正の整数であり、かつ、１≦Ｎ≦Ｍである、段階と、
前記基地局により、前記Ｎの第１スペクトル上の前記専用サブフレームを用いて前記サービスデータを送信する段階とを具体的に含む、請求項１又は２に記載のサービスデータ伝送方法。
【請求項５】
前記専用サブフレームの前記配置情報は、前記専用サブフレームにより占有される期間、又は前記専用サブフレームの数量を含む、請求項１から４の何れか一項に記載のサービスデータ伝送方法。
【請求項６】
前記専用サブフレームの前記配置情報は、ビットマップを含み、前記ビットマップは、前記サービスデータを保持する専用サブフレームを示すために用いられる、請求項１から４の何れか一項に記載のサービスデータ伝送方法。
【請求項７】
前記サービスデータは、マルチメディアブロードキャスト・マルチキャストサービス（ＭＢＭＳ）データ、又は、ユニキャストサービスデータである、請求項１から６の何れか一項に記載のサービスデータ伝送方法。
【請求項８】
前記第１スペクトルはアンライセンススペクトルであり、前記第２スペクトルはライセンススペクトルである、請求項１から７の何れか一項に記載のサービスデータ伝送方法。
【請求項９】
前記伝送チャネル情報は、前記専用サブフレームにおいて保持されている前記サービスデータにより占有される物理的リソース位置と、前記サービスデータの変調及び復調方式とを示すために用いられる、請求項１から８の何れか一項に記載のサービスデータ伝送方法。
【請求項１０】
前記少なくとも１つの第１スペクトルの使用許可が終了したとき、前記基地局により、前記少なくとも１つの第１スペクトルまたは前記第２スペクトルを用いて、サービス逆方向移行メッセージを前記端末にブロードキャストする段階をさらに備え、前記サービス逆方向移行メッセージは、前記第２スペクトル上で前記サービスデータを再び受信するように前記端末に命令するために用いられる、請求項１から９の何れか一項に記載のサービスデータ伝送方法。
【請求項１１】
端末により、基地局により第２スペクトルを用いてブロードキャストされたサービス移行メッセージを受信する段階であって、前記サービス移行メッセージは、少なくとも１つの第１スペクトル上でサービスデータを受信するように前記端末に命令するために用いられる、段階と、
前記端末により、前記基地局により送信された前記少なくとも１つの第１スペクトル上の専用サブフレームの配置情報及び前記サービスデータの伝送チャネル情報を受信する段階と、
前記端末により、前記専用サブフレームのうち最後のサブフレームにおいて保持されている指示情報に従って、後続のサブフレームに対してブラインド検出を実行するかを決定する段階であって、前記ブラインド検出は、前記後続のサブフレームが新しいサービスデータを保持しているかを決定するために用いられる、段階と、
前記端末により、前記サービス移行メッセージと、前記専用サブフレームの前記配置情報と、前記サービスデータの前記伝送チャネル情報とに従って、前記少なくとも１つの第１スペクトル上の前記専用サブフレームにおいて保持されている前記サービスデータを取得する段階と、
を備える
サービスデータ伝送方法。
【請求項１２】
前記サービス移行メッセージは、前記少なくとも１つの第１スペクトルの周波数情報と、前記少なくとも１つの第１スペクトルを占有するセルのセル識別子と、前記サービスデータのサービス識別子とを含む、請求項１１に記載のサービスデータ伝送方法。
【請求項１３】
前記基地局は、Ｍの第１スペクトルの使用許可を取得し、Ｍは１に等しい、又は１より大きい正の整数であり、前記端末により前記サービス移行メッセージと、前記専用サブフレームの前記配置情報と、前記サービスデータの前記伝送チャネル情報とに従って、前記少なくとも１つの第１スペクトル上の前記専用サブフレームにおいて保持されている前記サービスデータを取得する前記段階は、
前記端末により、前記基地局により送信されたスケジューリング指示メッセージを受信する段階であって、前記スケジューリング指示メッセージは、前記サービスデータの伝送チャネル識別子を含み、前記伝送チャネル識別子は、前記サービスデータが伝送される伝送チャネルを示すために用いられる、段階と、
前記端末により、前記サービス移行メッセージに従って、前記基地局により前記Ｍの第１スペクトルを用いて送信された前記専用サブフレームを受信する段階と、
前記端末により、前記スケジューリング指示メッセージに従って、前記専用サブフレームにおいて保持されている前記サービスデータを取得する段階とを具体的に含む、請求項１１又は１２に記載のサービスデータ伝送方法。
【請求項１４】
前記基地局は、Ｍの第１スペクトルの使用許可を取得し、Ｍは１より大きい正の整数であり、前記端末により前記サービス移行メッセージと、前記専用サブフレームの前記配置情報と、前記サービスデータの前記伝送チャネル情報とに従って、前記少なくとも１つの第１スペクトル上の前記専用サブフレームにおいて保持されている前記サービスデータを取得する前記段階は、
前記端末により、前記基地局により送信されたスケジューリング指示メッセージを受信する段階であって、前記スケジューリング指示メッセージは、前記サービスデータの伝送チャネル識別子、及びＮの第１スペクトルを占有するアンライセンスセルのセル識別子を含み、前記伝送チャネル識別子は、前記サービスデータが伝送される伝送チャネルを示すために用いられ、前記Ｎの第１スペクトルは、前記Ｍの第１スペクトルのうち任意のＮの第１スペクトルであり、Ｎは正の整数であり、かつ、１≦Ｎ≦Ｍである、段階と、
前記端末により、前記サービス移行メッセージに従って、前記基地局により前記Ｎの第１スペクトルを用いて送信された前記専用サブフレームを受信する段階と、
前記端末により、前記スケジューリング指示メッセージに従って、前記Ｎの第１スペクトル上の前記専用サブフレームにおいて保持されている前記サービスデータを取得する段階とを具体的に含む、請求項１１又は１２に記載のサービスデータ伝送方法。
【請求項１５】
全ての前記専用サブフレームが前記サービスデータを保持する場合、前記専用サブフレームの前記配置情報は、前記専用サブフレームにより占有される期間、又は前記専用サブフレームの数量を含む、請求項１１から１４の何れか一項に記載のサービスデータ伝送方法。
【請求項１６】
前記専用サブフレームの前記配置情報は、ビットマップを含み、前記ビットマップは、前記サービスデータを保持する専用サブフレームを示すために用いられる、請求項１１から１４の何れか一項に記載のサービスデータ伝送方法。
【請求項１７】
前記サービスデータは、マルチメディアブロードキャスト・マルチキャストサービス（ＭＢＭＳ）データ又はユニキャストサービスデータである、請求項１１から１６の何れか一項に記載のサービスデータ伝送方法。
【請求項１８】
前記第１スペクトルはアンライセンススペクトルであり、前記第２スペクトルはライセンススペクトルである、請求項１１から１７の何れか一項に記載のサービスデータ伝送方法。
【請求項１９】
前記伝送チャネル情報は、前記専用サブフレームにおいて保持されている前記サービスデータにより占有される物理的リソース位置と、前記サービスデータの変調及び復調方式とを示すために用いられる、請求項１１から１８の何れか一項に記載のサービスデータ伝送方法。
【請求項２０】
前記少なくとも１つの第１スペクトルの使用許可が終了したとき、前記基地局により前記少なくとも１つの第１スペクトルまたは前記第２スペクトルを用いてブロードキャストされたサービス逆方向移行メッセージを前記端末により受信する段階をさらに備え、前記サービス逆方向移行メッセージは、前記第２スペクトル上で前記サービスデータを再び受信するように前記端末に命令するために用いられる、請求項１１から１９の何れか一項に記載のサービスデータ伝送方法。
【請求項２１】
少なくとも１つの第１スペクトルの使用許可を取得する取得ユニットと、
第２スペクトルを用いて、サービス移行メッセージを端末にブロードキャストするメッセージブロードキャストユニットであって、前記サービス移行メッセージは、前記少なくとも１つの第１スペクトル上でサービスデータを受信するように前記端末に命令するために用いられる、メッセージブロードキャストユニットと、
前記少なくとも１つの第１スペクトル上の専用サブフレームの配置情報と、前記サービスデータの伝送チャネル情報とを前記端末に送信し、前記専用サブフレームを用いて、前記サービスデータを前記端末に送信するデータ送信ユニットと、を備え、
前記データ送信ユニットは、さらに、前記専用サブフレームのうち最後のサブフレームに指示情報を追加し、前記指示情報は、後続のサブフレームに対してブラインド検出を実行するかを決定するために前記端末により用いられ、前記ブラインド検出は、前記後続のサブフレームが新しいサービスデータを保持しているかを決定するために用いられる、
基地局。
【請求項２２】
前記サービス移行メッセージは、前記少なくとも１つの第１スペクトルの周波数情報と、前記少なくとも１つの第１スペクトルを占有するセルのセル識別子と、前記サービスデータのサービス識別子とを含む、請求項２１に記載の基地局。
【請求項２３】
前記基地局は、Ｍの第１スペクトルの使用許可を取得し、Ｍは１に等しい、又は１より大きい正の整数であり、前記データ送信ユニットは、具体的に、
前記サービスデータに対応するスケジューリング指示メッセージを前記端末に送信し、前記スケジューリング指示メッセージは、前記サービスデータの伝送チャネル識別子を含み、前記伝送チャネル識別子は、前記サービスデータが伝送される伝送チャネルを示すために用いられ、
前記Ｍの第１スペクトル上の前記専用サブフレームを用いて、前記サービスデータを送信する、請求項２１又は２２に記載の基地局。
【請求項２４】
前記基地局は、Ｍの第１スペクトルの使用許可を取得し、Ｍは１より大きい正の整数であり、前記データ送信ユニットは、具体的に、
前記サービスデータに対応するスケジューリング指示メッセージを前記端末に送信し、前記スケジューリング指示メッセージは、前記サービスデータの伝送チャネル識別子と、Ｎの第１スペクトルを占有するアンライセンスセルのセル識別子とを含み、前記伝送チャネル識別子は、前記サービスデータが伝送される伝送チャネルを示すために用いられ、前記Ｎの第１スペクトルは、前記Ｍの第１スペクトルのうち任意のＮの第１スペクトルであり、Ｎは正の整数であり、かつ、１≦Ｎ≦Ｍであり、
前記Ｎの第１スペクトル上の前記専用サブフレームを用いて、前記サービスデータを送信する、請求項２１又は２２に記載の基地局。
【請求項２５】
前記専用サブフレームの前記配置情報は、前記専用サブフレームにより占有される期間、又は前記専用サブフレームの数量を含む、請求項２１から２４の何れか一項に記載の基地局。
【請求項２６】
前記専用サブフレームの前記配置情報は、ビットマップを含み、前記ビットマップは、前記サービスデータを保持する専用サブフレームを示すために用いられる、請求項２１から２４の何れか一項に記載の基地局。
【請求項２７】
前記第１スペクトルはアンライセンススペクトルであり、前記第２スペクトルはライセンススペクトルである、請求項２１から２６の何れか一項に記載の基地局。
【請求項２８】
前記伝送チャネル情報は、前記専用サブフレームにおいて保持されている前記サービスデータにより占有される物理的リソース位置と、前記サービスデータの変調及び復調方式とを示すために用いられる、請求項２１から２７の何れか一項に記載の基地局。
【請求項２９】
前記メッセージブロードキャストユニットは、さらに、前記少なくとも１つの第１スペクトルの使用許可が終了したとき、前記少なくとも１つの第１スペクトルまたは前記第２スペクトルを用いて、サービス逆方向移行メッセージを前記端末にブロードキャストし、前記サービス逆方向移行メッセージは、前記第２スペクトル上で前記サービスデータを再び受信するように前記端末に命令するために用いられる、請求項２１から２８の何れか一項に記載の基地局。
【請求項３０】
端末であって、
基地局により第２スペクトルを用いてブロードキャストされたサービス移行メッセージを受信するメッセージ受信ユニットであって、前記サービス移行メッセージは、少なくとも１つの第１スペクトル上でサービスデータを受信するように前記端末に命令するために用いられる、メッセージ受信ユニットと、
前記サービス移行メッセージに従って、前記基地局により前記少なくとも１つの第１スペクトルを用いて送信された前記サービスデータを受信するデータ取得ユニットと
を備え、
前記メッセージ受信ユニットは、さらに、前記基地局により送信された、専用サブフレームの配置情報及び前記サービスデータの伝送チャネル情報を受信し、
前記データ取得ユニットは、具体的に、前記サービス移行メッセージと、前記専用サブフレームの前記配置情報と、前記サービスデータの前記伝送チャネル情報とに従って、前記少なくとも１つの第１スペクトル上の前記専用サブフレームにおいて保持されている前記サービスデータを取得し、
前記専用サブフレームのうち最後のサブフレームにおいて保持されている指示情報に従って、後続のサブフレームに対してブラインド検出を実行するかを決定する決定ユニットであって、前記ブラインド検出は、前記後続のサブフレームが新しいサービスデータを保持しているかを決定するために用いられる、決定ユニットをさらに備える
端末。
【請求項３１】
前記サービス移行メッセージは、前記少なくとも１つの第１スペクトルの周波数情報と、前記少なくとも１つの第１スペクトルを占有するセルのセル識別子と、前記サービスデータのサービス識別子とを含む、請求項３０に記載の端末。
【請求項３２】
前記基地局は、Ｍの第１スペクトルの使用許可を取得し、Ｍは１に等しい、又は１より大きい正の整数であり、前記メッセージ受信ユニットは、さらに、前記基地局により送信されたスケジューリング指示メッセージを受信し、前記スケジューリング指示メッセージは、前記サービスデータの伝送チャネル識別子を含み、前記伝送チャネル識別子は、前記サービスデータが伝送される伝送チャネルを示すために用いられ、前記サービス移行メッセージに従って、前記Ｍの第１スペクトルを用いて、前記基地局により送信された前記専用サブフレームを受信し、
前記データ取得ユニットは、さらに、前記スケジューリング指示メッセージに従って、前記専用サブフレームにおいて保持されている前記サービスデータを取得する、請求項３０又は３１に記載の端末。
【請求項３３】
前記基地局は、Ｍの第１スペクトルの使用許可を取得し、Ｍは１より大きい正の整数であり、前記メッセージ受信ユニットは、具体的に、
前記基地局により送信されたスケジューリング指示メッセージを受信し、前記スケジューリング指示メッセージは、前記サービスデータの伝送チャネル識別子、及びＮの第１スペクトルを占有するアンライセンスセルのセル識別子を含み、前記伝送チャネル識別子は、前記サービスデータが伝送される伝送チャネルを示すために用いられ、前記Ｎの第１スペクトルは、前記Ｍの第１スペクトルのうち任意のＮの第１スペクトルであり、Ｎは正の整数であり、かつ、１≦Ｎ≦Ｍであり、
前記データ取得ユニットは、さらに、
前記サービス移行メッセージに従って、前記基地局により前記Ｎの第１スペクトルを用いて送信された前記専用サブフレームを受信し、前記スケジューリング指示メッセージに従って、前記Ｎの第１スペクトル上の前記専用サブフレームにおいて保持されている前記サービスデータを取得する、請求項３０又は３１に記載の端末。
【請求項３４】
全ての前記専用サブフレームが前記サービスデータを保持している場合、前記専用サブフレームの前記配置情報は、前記専用サブフレームにより占有される期間、又は前記専用サブフレームの数量を含む、請求項３０から３３の何れか一項に記載の端末。
【請求項３５】
前記専用サブフレームの前記配置情報は、ビットマップを含み、前記ビットマップは、前記サービスデータを保持する専用サブフレームを示すために用いられる、請求項３０から３３の何れか一項に記載の端末。
【請求項３６】
前記第１スペクトルはアンライセンススペクトルであり、前記第２スペクトルはライセンススペクトルである、請求項３０から３５の何れか一項に記載の端末。
【請求項３７】
前記伝送チャネル情報は、前記専用サブフレームにおいて保持されている前記サービスデータにより占有される物理的リソース位置と、前記サービスデータの変調及び復調方式とを示すために用いられる、請求項３０から３６の何れか一項に記載の端末。
【請求項３８】
前記メッセージ受信ユニットは、さらに、前記少なくとも１つの第１スペクトルの使用許可が終了したとき、前記基地局により前記少なくとも１つの第１スペクトルまたは前記第２スペクトルを用いてブロードキャストされたサービス逆方向移行メッセージを受信し、前記サービス逆方向移行メッセージは、前記第２スペクトル上で前記サービスデータを再び受信するように前記端末に命令するために用いられる、請求項３０から３７の何れか一項に記載の端末。
【請求項３９】
コンピュータに請求項１から２０の何れか一項に記載のサービスデータ伝送方法を実行させるプログラム。
【発明の詳細な説明】
【技術分野】
【０００１】
本願発明は、通信分野に関し、特に、サービスデータ伝送方法及び装置に関する。
【背景技術】
【０００２】
従来技術において、複数のセルにより同時にカバーされる端末に対して、基地局は通常、主要セルにより占有されるスペクトルのみを用いて、端末にサービスデータを送信する。主要セルにより占有されるスペクトルのリソースが比較的低品質であるとき、例えば、スペクトルの無線信号強度が比較的弱く、ネットワークのアップリンク及びダウンリンク率が比較的低いとき、又は、主要セルにおいて基地局によるサービスデータの伝送中に輻輳が発生したとき、別のセルにより占有されるスペクトルをどのように用いてサービスデータを送信することが、従来技術においては考慮されていない。従来技術においてスペクトル利用率は比較的低いということが分かる。
【発明の概要】
【０００３】
本願発明は、サービスデータ伝送方法及び装置を提供し、比較的低いスペクトル利用率という従来技術の問題を解決する。
【０００４】
前述の目的を達成するために、本願発明の実施形態は、以下の技術的解決手段を用いる。
【０００５】
第１の態様によれば、サービスデータ伝送方法が提供され、該方法は、基地局により、少なくとも１つの第１スペクトルの使用許可を取得する段階と、基地局により第２スペクトルを用いてサービス移行メッセージを端末にブロードキャストする段階であって、該サービス移行メッセージは、少なくとも１つの第１スペクトル上でサービスデータを受信するように端末に命令するために用いられる、段階と、基地局により、該少なくとも１つの第１スペクトルを用いて該サービスデータを端末に送信する段階とを備える。
【０００６】
第１の態様に関連して、第１の可能な実装態様において、該サービス移行メッセージは、該少なくとも１つの第１スペクトルの周波数情報と、該少なくとも１つの第１スペクトルを占有するセルのセル識別子と、該サービスデータのサービス識別子とを含む。
【０００７】
第１の態様又は第１の態様の第１の可能な実装態様に関連して、第２の可能な実装態様において、基地局は、Ｍの第１スペクトルの使用許可を取得し、Ｍは１に等しい、又は１より大きい正の整数であり、基地局により、該少なくとも１つの第１スペクトルを用いて該サービスデータを端末に送信する段階は、基地局により、該サービスデータに対応するスケジューリング指示メッセージを端末に送信する段階であって、該スケジューリング指示メッセージは、該サービスデータの伝送チャネル識別子を含み、該伝送チャネル識別子は、該サービスデータが伝送される伝送チャネルを示すために用いられる、段階と、基地局により、Ｍの第１スペクトル上のサブフレームを用いて該サービスデータを送信する段階とを具体的に含む。
【０００８】
第１の態様又は第１の態様の第１から第２の可能な実装態様の何れか１つに関連して、第３の可能な実装態様において、基地局は、Ｍの第１スペクトルの使用許可を取得し、Ｍは１より大きい正の整数であり、基地局により、該少なくとも１つの第１スペクトルを用いて該サービスデータを端末に送信する段階は、基地局により、該サービスデータに対応するスケジューリング指示メッセージを端末に送信する段階であって、該スケジューリング指示メッセージは、該サービスデータの伝送チャネル識別子、及びＮの第１スペクトルを占有するアンライセンスセルのセル識別子を含み、該伝送チャネル識別子は、該サービスデータが伝送される伝送チャネルを示すために用いられ、Ｎの第１スペクトルは、Ｍの第１スペクトルのうち任意のＮの第１スペクトルであり、Ｎは正の整数であり、かつ、１≦Ｎ≦Ｍである、段階と、基地局により、該Ｎの第１スペクトル上のサブフレームを用いて該サービスデータを送信する段階とを具体的に含む。
【０００９】
第１の態様又は第１の態様の第１から第３の可能な実装態様の何れか１つに関連して、第４の可能な実装態様において、基地局により、該少なくとも１つの第１スペクトルを用いて該サービスデータを端末に送信する段階は、基地局により、該少なくとも１つの第１スペクトル上の専用サブフレームの配置情報、及び該サービスデータの伝送チャネル情報を端末に送信する段階と、基地局により、該専用サブフレームを用いて該サービスデータを端末に送信する段階とを具体的に含む。
【００１０】
第１の態様又は第１の態様の第１から第４の可能な実装態様の何れか１つに関連して、第５の可能な実装態様において、該専用サブフレームの配置情報は、該専用サブフレームにより占有される期間、又は該専用サブフレームの数量を含む。
【００１１】
第１の態様又は第１の態様の第１から第５の可能な実装態様の何れか１つに関連して、第６の可能な実装態様において、該専用サブフレームの配置情報は、ビットマップを含み、該ビットマップは、該サービスデータを保持する専用サブフレームを示すために用いられる。
【００１２】
第１の態様又は第１の態様の第１から第６の可能な実装態様の何れか１つに関連して、第７の可能な実装態様において、方法は、基地局により、該専用サブフレームのうち最後のサブフレームに指示情報を追加する段階であって、該指示情報は、後続のサブフレームに対してブラインド検出を実行するかを決定するために端末により用いられ、ブラインド検出は、後続のサブフレームが新しいサービスデータを保持しているかを決定するために用いられる、段階をさらに備える。
【００１３】
第１の態様又は第１の態様の第１から第７の可能な実装態様の何れか１つに関連して、第８の可能な実装態様において、サービスデータは、マルチメディアブロードキャスト・マルチキャストサービス（ＭＢＭＳ）データ、又はユニキャストサービスデータである。
【００１４】
第１の態様又は第１の態様の第１から第８の可能な実装態様の何れか１つに関連して、第９の可能な実装態様において、第１スペクトルはアンライセンススペクトルであり、第２スペクトルはライセンススペクトルである。
【００１５】
第２の態様によれば、サービスデータ伝送方法が提供され、該方法は、端末により、基地局により第２スペクトルを用いてブロードキャストされたサービス移行メッセージを受信する段階であって、該サービス移行メッセージは、少なくとも１つの第１スペクトル上でサービスデータを受信するように端末に命令するために用いられる、段階と、端末により、該サービス移行メッセージに従って、基地局により該少なくとも１つの第１スペクトルを用いて送信された該サービスデータを受信する段階とを備える。
【００１６】
第２の態様に関連して、第１の可能な実装態様において、該サービス移行メッセージは、該少なくとも１つの第１スペクトルの周波数情報と、該少なくとも１つの第１スペクトルを占有するセルのセル識別子と、該サービスデータのサービス識別子とを含む。
【００１７】
第２の態様又は第２の態様の第１の可能な実装態様に関連して、第２の可能な実装態様において、基地局は、Ｍの第１スペクトルの使用許可を取得し、Ｍは１より大きい正の整数であり、端末により該サービス移行メッセージに従って、基地局により該少なくとも１つの第１スペクトルを用いて送信されたサービスデータを受信する段階は、端末により、基地局により送信されたスケジューリング指示メッセージを受信する段階であって、該スケジューリング指示メッセージは、該サービスデータの伝送チャネル識別子を含み、該伝送チャネル識別子は、該サービスデータが伝送される伝送チャネルを示すために用いられる、段階と、端末により該サービス移行メッセージに従って、基地局によりＭの第１スペクトルを用いて送信されたサブフレームを受信する段階と、端末により、該スケジューリング指示メッセージに従って、該サブフレームにおいて保持されているサービスデータを取得する段階とを具体的に含む。
【００１８】
第２の態様又は第２の態様の第１から第２の可能な実装態様の何れか１つに関連して、第３の可能な実装態様において、基地局は、Ｍの第１スペクトルの使用許可を取得し、Ｍは１より大きい正の整数であり、端末により該サービス移行メッセージに従って、基地局により該少なくとも１つの第１スペクトルを用いて送信されたサービスデータを受信する段階は、端末により、基地局により送信されたスケジューリング指示メッセージを受信する段階であって、該スケジューリング指示メッセージは、該サービスデータの伝送チャネル識別子、及びＮの第１スペクトルを占有するアンライセンスセルのセル識別子を含み、該伝送チャネル識別子は、該サービスデータが伝送される伝送チャネルを示すために用いられ、該Ｎの第１スペクトルは、Ｍの第１スペクトルのうち任意のＮの第１スペクトルであり、Ｎは正の整数であり、かつ、１≦Ｎ≦Ｍである、段階と、端末により、該サービス移行メッセージに従って、基地局により該Ｎの第１スペクトルを用いて送信されたサブフレームを受信する段階と、端末により、該スケジューリング指示メッセージに従って、該Ｎの第１スペクトル上のサブフレームにおいて保持されているサービスデータを取得する段階とを具体的に含む。
【００１９】
第２の態様又は第２の態様の第１から第３の可能な実装態様の何れか１つに関連して、第４の可能な実装態様において、端末により該サービス移行メッセージに従って、基地局により該少なくとも１つの第１スペクトルを用いて送信されたサービスデータを受信する段階は、端末により、基地局により送信された、専用サブフレームの配置情報及びサービスデータの伝送チャネル情報を受信する段階と、端末により、該サービス移行メッセージと、該専用サブフレームの配置情報と、サービスデータの伝送チャネル情報とに従って、該少なくとも１つの第１スペクトル上の専用サブフレームにおいて保持されているサービスデータを取得する段階とを具体的に含む。
【００２０】
第２の態様又は第２の態様の第１から第４の可能な実装態様の何れか１つに関連して、第５の可能な実装態様において、全ての専用サブフレームがサービスデータを保持している場合、該専用サブフレームの配置情報は、専用サブフレームにより占有される期間、又は専用サブフレームの数量を含む。
【００２１】
第２の態様又は第２の態様の第１から第５の可能な実装態様の何れか１つに関連して、第６の可能な実装態様において、該専用サブフレームの配置情報は、ビットマップを含み、該ビットマップは、サービスデータを保持する専用サブフレームを示すために用いられる。
【００２２】
第２の態様又は第２の態様の第１から第６の可能な実装態様の何れか１つに関連して、第７の可能な実装態様において、方法は、端末により、該専用サブフレームのうち最後のサブフレームにおいて保持されている指示情報に従って、後続のサブフレームに対してブラインド検出を実行するかを決定する段階であって、ブラインド検出は、後続のサブフレームが新しいサービスデータを保持しているか決定するために用いられる、段階をさらに備える。
【００２３】
第２の態様又は第２の態様の第１から第７の可能な実装態様の何れか１つに関連して、第８の可能な実装態様において、サービスデータは、マルチメディアブロードキャスト・マルチキャストサービス（ＭＢＭＳ）データ、又はユニキャストサービスデータである。
【００２４】
第２の態様又は第２の態様の第１から第８の可能な実装態様の何れか１つに関連して、第９の可能な実装態様において、第１スペクトルはアンライセンススペクトルであり、第２スペクトルはライセンススペクトルである。
【００２５】
第３の態様によれば、基地局が提供され、該基地局は、少なくとも１つの第１スペクトルの使用許可を取得するよう構成される取得ユニットと、第２スペクトルを用いて、サービス移行メッセージを端末にブロードキャストするよう構成されるメッセージブロードキャストユニットであって、該サービス移行メッセージは、該少なくとも１つの第１スペクトル上でサービスデータを受信するように端末に命令するために用いられる、メッセージブロードキャストユニットと、該少なくとも１つの第１スペクトルを用いて、サービスデータを端末に送信するよう構成されるデータ送信ユニットとを備える。
【００２６】
第３の態様に関連して、第１の可能な実装態様において、該サービス移行メッセージは、該少なくとも１つの第１スペクトルの周波数情報、該少なくとも１つの第１スペクトルを占有するセルのセル識別子、及び該サービスデータのサービス識別子を含む。
【００２７】
第３の態様又は第３の態様の第１の可能な実装態様に関連して、第２の可能な実装態様において、基地局は、Ｍの第１スペクトルの使用許可を取得し、Ｍは１より大きい正の整数であり、データ送信ユニットは、該サービスデータに対応するスケジューリング指示メッセージを端末に送信し、ここで、該スケジューリング指示メッセージは、該サービスデータの伝送チャネル識別子を含み、該伝送チャネル識別子は、該サービスデータが伝送される伝送チャネルを示すために用いられ、該Ｍの第１スペクトル上のサブフレームを用いてサービスデータを送信するよう具体的に構成される。
【００２８】
第３の態様又は第３の態様の第１から第２の可能な実装態様の何れか１つに関連して、第３の可能な実装態様において、基地局は、Ｍの第１スペクトルの使用許可を取得し、Ｍは１より大きい正の整数であり、データ送信ユニットは、該サービスデータに対応するスケジューリング指示メッセージを端末に送信し、ここで、該スケジューリング指示メッセージは、該サービスデータの伝送チャネル識別子、及びＮの第１スペクトルを占有するアンライセンスセルのセル識別子を含み、該伝送チャネル識別子は、該サービスデータが伝送される伝送チャネルを示すために用いられ、該Ｎの第１スペクトルは、該Ｍの第１スペクトルのうち任意のＮの第１スペクトルであり、Ｎは正の整数であり、かつ、１≦Ｎ≦Ｍであり、該Ｎの第１スペクトル上のサブフレームを用いてサービスデータを送信するよう具体的に構成される。
【００２９】
第３の態様又は第３の態様の第１からの第３の可能な実装態様の何れか１つに関連して、第４の可能な実装態様において、データ送信ユニットは、該少なくとも１つの第１スペクトル上の専用サブフレームの配置情報、及び該サービスデータの伝送チャネル情報を端末に送信し、該専用サブフレームを用いてサービスデータを端末に送信するよう具体的に構成される。
【００３０】
第３の態様又は第３の態様の第１から第４の可能な実装態様の何れか１つに関連して、第５の可能な実装態様において、該専用サブフレームの配置情報は、該専用サブフレームにより占有される期間、又は該専用サブフレームの数量を含む。
【００３１】
第３の態様又は第３の態様の第１から第５の可能な実装態様の何れか１つに関連して、第６の可能な実装態様において、該専用サブフレームの配置情報は、ビットマップを含み、該ビットマップは、サービスデータを保持する専用サブフレームを示すように用いられる。
【００３２】
第３の態様又は第３の態様の第１から第６の可能な実装態様の何れか１つに関連して、第７の可能な実装態様において、データ送信ユニットは、該専用サブフレームのうち最後のサブフレームに指示情報を追加するよう具体的に構成され、ここで、該指示情報は、後続のサブフレームに対してブラインド検出を実行するかを決定するために端末により用いられ、ブラインド検出は、後続のサブフレームが新しいサービスデータを保持しているかを決定するために用いられる。
【００３３】
第３の態様又は第３の態様の第１から第７の可能な実装態様の何れか１つに関連して、第８の可能な実装態様において、第１スペクトルはアンライセンススペクトルであり、第２スペクトルはライセンススペクトルである。
【００３４】
第４の態様によれば、端末が提供され、該端末は、基地局により第２スペクトルを用いてブロードキャストされたサービス移行メッセージを受信するよう構成されるメッセージ受信ユニットであって、該サービス移行メッセージは、少なくとも１つの第１スペクトル上でサービスデータを受信するように端末に命令するために用いられる、メッセージ受信ユニットと、サービス移行メッセージに従って、基地局により該少なくとも１つの第１スペクトルを用いて送信されたサービスデータを受信するように構成されるデータ取得ユニットとを備える。
【００３５】
第４の態様に関連して、第１の可能な実装態様において、該サービス移行メッセージは、該少なくとも１つの第１スペクトルの周波数情報、該少なくとも１つの第１スペクトルを占有するセルのセル識別子、及び該サービスデータのサービス識別子を含む。
【００３６】
第４の態様又は第４の態様の第１の可能な実装態様に関連して、第２の可能な実装態様において、基地局は、Ｍの第１スペクトルの使用許可を取得し、Ｍは１より大きい正の整数であり、メッセージ受信ユニットは、基地局により送信されたスケジューリング指示メッセージを受信し、ここで、該スケジューリング指示メッセージは、サービスデータの伝送チャネル識別子を含み、該伝送チャネル識別子は、該サービスデータが伝送される伝送チャネルを示すために用いられ、該サービス移行メッセージに従って、基地局により該Ｍの第１スペクトルを用いて送信されたサブフレームを受信するようさらに構成され、データ取得ユニットは、該スケジューリング指示メッセージに従って、該サブフレームにおいて保持されているサービスデータを取得するようさらに構成される。
【００３７】
第４の態様又は第４の態様の第１から第２の可能な実装態様の何れか１つに関連して、第３の可能な実装態様において、基地局は、Ｍの第１スペクトルの使用許可を取得し、Ｍは１より大きい正の整数であり、メッセージ受信ユニットは、基地局により送信されたスケジューリング指示メッセージを受信するよう具体的に構成され、ここで、該スケジューリング指示メッセージは、該サービスデータの伝送チャネル識別子、及びＮの第１スペクトルを占有するアンライセンスセルのセル識別子を含み、該伝送チャネル識別子は、該サービスデータが伝送される伝送チャネルを示すために用いられ、該Ｎの第１スペクトルは、該Ｍの第１スペクトルのうち任意のＮの第１スペクトルであり、Ｎは正の整数であり、かつ、１≦Ｎ≦Ｍであり、データ取得ユニットは、該サービス移行メッセージに従って、基地局により該Ｎの第１スペクトルを用いて送信されたサブフレームを受信し、該スケジューリング指示メッセージに従って、該Ｎの第１スペクトル上のサブフレームにおいて保持されているサービスデータを取得するようさらに構成される。
【００３８】
第４の態様又は第４の態様の第１から第３の可能な実装態様の何れか１つに関連して、第４の可能な実装態様において、メッセージ受信ユニットは、基地局により送信された、専用サブフレームの配置情報及びサービスデータの伝送チャネル情報を受信するようさらに構成され、データ取得ユニットは、該サービス移行メッセージと、該専用サブフレームの配置情報と、サービスデータの伝送チャネル情報とに従って、該少なくとも１つの第１スペクトル上の専用サブフレームにおいて保持されているサービスデータを取得するように具体的に構成される。
【００３９】
第４の態様又は第４の態様の第１から第４の可能な実装態様の何れか１つに関連して、第５の可能な実装態様において、全ての専用サブフレームがサービスデータを保持する場合、該専用サブフレームの配置情報は、該専用サブフレームにより占有される期間、又は該専用サブフレームの数量を含む。
【００４０】
第４の態様又は第４の態様の第１から第５の可能な実装態様の何れか１つに関連して、第６の可能な実装態様において、該専用サブフレームの配置情報は、ビットマップを含み、該ビットマップは、サービスデータを保持する専用サブフレームを示すために用いられる。
【００４１】
第４の態様の第４から第６の可能な実装態様の何れか１つに関連して、第７の可能な実装態様において、端末は、該専用サブフレームのうち最後のサブフレームにおいて保持されている指示情報に従って、後続のサブフレームに対してブラインド検出を実行するかを決定するよう構成される決定ユニットであって、ブラインド検出は、後続のサブフレームが新しいサービスデータを保持しているかを決定するために用いられる、決定ユニットをさらに備える。
【００４２】
第４の態様の第４から第７の可能な実装態様の何れか１つに関連して、第８の可能な実装態様において、第１スペクトルはアンライセンススペクトルであり、第２スペクトルはライセンススペクトルである。
【００４３】
第５の態様によれば、基地局が提供され、該基地局は、バスと、バスに接続されるプロセッサ、メモリ、入力モジュール、及び出力モジュールとを備え、メモリは、命令を格納するよう構成され、プロセッサは、命令を実行し、これにより、少なくとも１つの第１スペクトルの使用許可を取得し、第２スペクトルを用いてサービス移行メッセージを端末にブロードキャストし、ここで、該サービス移行メッセージは、該少なくとも１つの第１スペクトル上でサービスデータを受信するように端末に命令するために用いられ、該少なくとも１つの第１スペクトルを用いてサービスデータを端末に送信する。
【００４４】
第５の態様に関連して、第１の可能な実装態様において、該サービス移行メッセージは、該少なくとも１つの第１スペクトルの周波数情報、該少なくとも１つの第１スペクトルを占有するセルのセル識別子、及び該サービスデータのサービス識別子を含む。
【００４５】
第５の態様又は第５の態様の第１の可能な実装態様に関連して、第２の可能な実装態様において、基地局は、Ｍの第１スペクトルの使用許可を取得し、Ｍは１に等しい、又は１より大きい正の整数であり、プロセッサは、命令を実行し、これにより、具体的に、該サービスデータに対応するスケジューリング指示メッセージを端末に送信し、ここで、該スケジューリング指示メッセージは、該サービスデータの伝送チャネル識別子を含み、該伝送チャネル識別子は、該サービスデータが伝送される伝送チャネルを示すために用いられ、該Ｍの第１スペクトル上のサブフレームを用いて該サービスデータを送信する。
【００４６】
第５の態様又は第５の態様の第１から第３の可能な実装態様の何れか１つに関連して、第４の可能な実装態様において、基地局は、Ｍの第１スペクトルの使用許可を取得し、Ｍは１より大きい正の整数であり、プロセッサは、命令を実行し、これにより、具体的に、該サービスデータに対応するスケジューリング指示メッセージを端末に送信し、ここで、該スケジューリング指示メッセージは、該サービスデータの伝送チャネル識別子、及びＮの第１スペクトルを占有するアンライセンスセルのセル識別子を含み、該伝送チャネル識別子は、該サービスデータが伝送される伝送チャネルを示すために用いられ、該Ｎの第１スペクトルは、該Ｍの第１スペクトルのうち任意のＮの第１スペクトルであり、Ｎは正の整数であり、かつ、１≦Ｎ≦Ｍであり、該Ｎの第１スペクトル上のサブフレームを用いてサービスデータを送信する。
【００４７】
第５の態様又は第５の態様の第１から第２の可能な実装態様の何れか１つに関連して、第３の可能な実装態様において、プロセッサは、命令を実行し、これにより、具体的に、該少なくとも１つの第１スペクトル上の専用サブフレームの配置情報と、該サービスデータの伝送チャネル情報とを端末に送信し、該専用サブフレームを用いてサービスデータを端末に送信する。
【００４８】
第５の態様又は第５の態様の第１から第４の可能な実装態様の何れか１つに関連して、第５の可能な実装態様において、該専用サブフレームの配置情報は、該専用サブフレームにより占有される期間、又は該専用サブフレームの数量を含む。
【００４９】
第５の態様又は第５の態様の第１から第５の可能な実装態様の何れか１つに関連して、第６の可能な実装態様において、該専用サブフレームの配置情報は、ビットマップを含み、該ビットマップは、サービスデータを保持する専用サブフレームを示すために用いられる。
【００５０】
第５の態様の第４から第６の可能な実装態様の何れか１つに関連して、第７の可能な実装態様において、プロセッサは、命令を実行し、これにより、さらに、該専用サブフレームのうち最後のサブフレームに指示情報を追加し、ここで、該指示情報は、後続のサブフレームに対してブラインド検出を実行するかを決定するように端末により用いられ、ブラインド検出は、後続のサブフレームが新しいサービスデータを保持しているかを決定するために用いられる。
【００５１】
第５の態様の第４から第７の可能な実装態様の何れか１つに関連して、第８の可能な実装態様において、第１スペクトルはアンライセンススペクトルであり、第２スペクトルはライセンススペクトルである。
【００５２】
第６の態様によれば、端末が提供され、該端末は、バスと、バスに接続されるプロセッサ、メモリ、入力モジュール、及び出力モジュールとを備え、該メモリは、命令を格納するように構成され、プロセッサは、命令を実行し、これにより、基地局により第２スペクトルを用いてブロードキャストされたサービス移行メッセージを受信し、ここで、該サービス移行メッセージは、少なくとも１つの第１スペクトル上でサービスデータを受信するように端末に命令するために用いられ、該サービス移行メッセージに従って、基地局により該少なくとも１つの第１スペクトルを用いて送信されたサービスデータを受信する。
【００５３】
第６の態様に関連して、第１の可能な実装態様において、該サービス移行メッセージは、該少なくとも１つの第１スペクトルの周波数情報、該少なくとも１つの第１スペクトルを占有するセルのセル識別子、及び該サービスデータのサービス識別子を含む。
【００５４】
第６の態様又は第６の態様の第１の可能な実装態様に関連して、第２の可能な実装態様において、基地局は、Ｍの第１スペクトルの使用許可を取得し、Ｍは１より大きい正の整数であり、プロセッサは、命令を実行し、これにより、具体的に、基地局により送信されたスケジューリング指示メッセージを受信し、ここで、該スケジューリング指示メッセージは、該サービスデータの伝送チャネル識別子を含み、該伝送チャネル識別子は、該サービスデータが伝送される伝送チャネルを示すために用いられ、該サービス移行メッセージに従って、基地局により該Ｍの第１スペクトルを用いて送信されたサブフレームを受信し、該スケジューリング指示メッセージに従って、該サブフレームにおいて保持されているサービスデータを取得する。
【００５５】
第６の態様又は第６の態様の第１から第２の可能な実装態様の何れか１つに関連して、第３の可能な実装態様において、基地局は、Ｍの第１スペクトルの使用許可を取得し、Ｍは１より大きい正の整数であり、プロセッサは、命令を実行し、これにより、具体的に、基地局により送信されたスケジューリング指示メッセージを受信し、ここで、該スケジューリング指示メッセージは、該サービスデータの伝送チャネル識別子、及びＮの第１スペクトルを占有するアンライセンスセルのセル識別子を含み、該伝送チャネル識別子は、該サービスデータが伝送される伝送チャネルを示すために用いられ、該Ｎの第１スペクトルは、該Ｍの第１スペクトルのうち任意のＮの第１スペクトルであり、Ｎは正の整数であり、かつ、１≦Ｎ≦Ｍであり、該サービス移行メッセージに従って、基地局により該Ｎの第１スペクトルを用いて送信されたサブフレームを受信し、該スケジューリング指示メッセージに従って、該Ｎの第１スペクトル上のサブフレームにおいて保持されているサービスデータを取得する。
【００５６】
第６の態様又は第６の態様の第１から第３の可能な実装態様の何れか１つに関連して、第４の可能な実装態様において、プロセッサは、命令を実行し、これにより、具体的に、基地局により送信された、専用サブフレームの配置情報及びサービスデータの伝送チャネル情報を受信し、該サービス移行メッセージと、該専用サブフレームの配置情報と、サービスデータの伝送チャネル情報とに従って、該少なくとも１つの第１スペクトル上の専用サブフレームにおいて保持されているサービスデータを取得する。
【００５７】
第６の態様又は第６の態様の第１から第４の可能な実装態様の何れか１つに関連して、第５の可能な実装態様において、全ての専用サブフレームがサービスデータを保持している場合、該専用サブフレームの配置情報は、該専用サブフレームにより占有される期間、又は該専用サブフレームの数量を含む。
【００５８】
第６の態様又は第６の態様の第１から第５の可能な実装態様の何れか１つに関連して、第６の可能な実装態様において、該専用サブフレームの配置情報は、ビットマップを含み、該ビットマップは、サービスデータを保持する専用サブフレームを示すために用いられる。
【００５９】
第６の態様の第４から第６の可能な実装態様の何れか１つに関連して、第７の可能な実装態様において、プロセッサは、命令を実行し、これにより、さらに、該専用サブフレームのうち最後のサブフレームにおいて保持されている指示情報に従って、後続のサブフレームに対してブラインド検出を実行するかを決定し、ここで、ブラインド検出は、後続のサブフレームが新しいサービスデータを保持しているかを決定するために用いられる。
【００６０】
第６の態様の第４から第７の可能な実装態様の何れか１つに関連して、第８の可能な実装態様において、第１スペクトルはアンライセンススペクトルであり、第２スペクトルはライセンススペクトルである。
【００６１】
前述の解決手段によれば、基地局が、少なくとも１つの第１スペクトルの使用許可を取得し、第２スペクトルを用いて、サービス移行メッセージをブロードキャストし、ここで、該サービス移行メッセージは、該少なくとも１つの第１スペクトル上でサービスデータを受信するように端末に命令するために用いられ、該少なくとも１つの第１スペクトルを用いて、サービスデータを端末に送信する。このように、第２スペクトルを用いて、サービスデータを端末に送信するとき、基地局はまた、該少なくとも１つの第１スペクトルを用いてサービスデータを端末に送信してよく、これにより、スペクトル利用率を向上させ、端末がサービスデータを取得する速度を速め、ユーザエクスペリエンスを向上させる。
【図面の簡単な説明】
【００６２】
本願発明の実施形態における技術的解決手段をより明確に説明するために、以下では、実施形態を説明するために必要とされる添付図面を簡潔に説明する。明らかに、以下の説明における添付図面は、本願発明のいくつかの実施形態を示すに過ぎず、当業者であれば、創造的努力をすることなく、これらの添付図面から別の図面をさらに導き出し得る。
【００６３】
【図１】本願発明の実施形態に係るサービスデータ伝送方法の概略フローチャートである。
【００６４】
【図２】本願発明の実施形態に係るライセンスセル及びアンライセンスセルにおけるサブフレーム伝送の模式図である。
【００６５】
【図３】本願発明の実施形態に係るＭＢＳＦＮサブフレームの概略構造図である。
【００６６】
【図４】本願発明の実施形態に係る、１つのＤＣＩを用いて、アンライセンススペクトル上の複数のサブフレームにおいて保持されているサービスデータが示される模式図である。
【００６７】
【図５】本願発明の実施形態に係る、１つのＤＣＩを用いて、２つのアンライセンススペクトル上のサブフレームにおいて保持されているサービスデータが示される模式図である。
【００６８】
【図６】本願発明の実施形態に係るアンライセンススペクトル上で専用サブフレームが構成される模式図である。
【００６９】
【図７】本願発明の実施形態に係るアンライセンススペクトル上で専用サブフレームが構成される別の模式図である。
【００７０】
【図８】本願発明の実施形態に係る別のサービスデータ伝送方法の概略フローチャートである。
【００７１】
【図９】本願発明の実施形態に係るさらに別のサービスデータ伝送方法の概略フローチャートである。
【００７２】
【図１０】本願発明の実施形態に係る基地局の概略構造図である。
【００７３】
【図１１】本願発明の実施形態に係る端末の概略構造図である。
【００７４】
【図１２】本願発明の実施形態に係る別の基地局の概略構造図である。
【００７５】
【図１３】本願発明の実施形態に係る別の端末の概略構造図である。
【発明を実施するための形態】
【００７６】
以下では、本願発明の実施形態における添付図面に関連して、本願発明の実施形態における技術的解決手段を明確に、かつ、十分に説明する。明らかに、説明される実施形態は本願発明の実施形態の一部に過ぎず、全てではない。当業者により、創造的努力をすることなく、本願発明の実施形態に基づいて得られる全ての他の実施形態は、本願発明の保護範囲内に含まれるものとする。
【００７７】
本明細書において、「及び／又は」という用語は、関連対象物を説明するための関連関係のみを説明し、３つの関係が存在し得ることを表す。例えば、Ａ及び／又はＢは、以下の３つの場合、つまり、Ａのみが存在する場合、Ａ及びＢの両方が存在する場合、及びＢのみが存在する場合を表し得る。さらに、本明細書において、「／」という記号は概して、関連対象物間の「又は」という関係を示す。
【００７８】
本願発明の実施形態により、サービスデータ伝送方法を提供する。図１に示されているように、方法は、以下の段階を備える。
【００７９】
Ｓ１０１．基地局が少なくとも１つの第１スペクトルの使用許可を取得する。
【００８０】
Ｓ１０２．基地局は、第２スペクトルを用いてサービス移行メッセージを端末にブロードキャストし、ここで、該サービス移行メッセージは、該少なくとも１つの第１スペクトル上でサービスデータを受信するように端末に命令するために用いられる。
【００８１】
Ｓ１０３．基地局は、該少なくとも１つの第１スペクトルを用いて端末にサービスデータを送信する。
【００８２】
任意選択的に、第１スペクトル及び第２スペクトルの両方は、ライセンススペクトルである。このように、第２スペクトルのリソースが比較的低品質であるとき、例えば、無線信号強度が比較的弱く、ネットワークのアップリンク及びダウンリンク率が比較的低いとき、基地局は、伝送のために、第２スペクトル上で伝送されるサービスデータを、比較的良好なリソースを有する第１スペクトルに移行してよく、これにより、スペクトル利用率を向上させ、サービスデータ伝送速度を速め、ユーザエクスペリエンスを向上させる。
【００８３】
任意選択的に、第１スペクトルはアンライセンススペクトルであり、第２スペクトルはライセンススペクトルである。移動通信サービスデータの量が急激に増大すると、無線通信スペクトルがますます不足となることに留意すべきである。近年、無線テレビなどのサービスが販路から徐々に撤退するため、いくつかのスペクトルが空いているが、米国電気電子学会（ＩＥＥＥ、ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）は、第３世代パートナーシッププロジェクト（３ＧＰＰ、３ｒｄ  ｇｅｎｅｒａｔｉｏｎ  ｐａｒｔｎｅｒｓｈｉｐ  ｐｒｏｊｅｃｔ）にこれらのスペクトルのリソースを使用する権限を与えていない。従って、空いているスペクトルは、３ＧＰＰにとってはアンライセンス（ｕｎｌｉｃｅｎｓｅｄ）スペクトルである。図２に示されているように、ＩＥＥＥが３ＧＰＰに使用する権限を与えているスペクトルが、ライセンススペクトルと称され、ライセンススペクトルを占有するセルが、ライセンスセルと称される。ＩＥＥＥが３ＧＰＰに使用する権限を与えていないスペクトルは、アンライセンススペクトルと称され、例えば、アイドリングテレビスペクトルであり、アンライセンススペクトルを占有するセルは、アンライセンスセルと称される。図１の各ブロックは、１サブフレームを表し、矢印により示されている方向は、サブフレーム伝送の時間的方向である。すなわち、端末はまず、サブフレームＡを受信し、次にサブフレームＢを受信する。
【００８４】
従来技術において、アンライセンススペクトルが、専用キャリアとして、マルチメディアブロードキャスト・マルチキャストサービス（ＭＢＭＳ、ｍｕｌｔｉｍｅｄｉａ  ｂｒｏａｄｃａｓｔ  ｍｕｌｔｉｃａｓｔ  ｓｅｒｖｉｃｅ）データを送信するために用いられる場合、アンライセンススペクトルの連続的有効性が保証できないため、ＭＢＭＳデータの連続伝送は保証できないことに留意すべきである。加えて、専用キャリアがＭＢＭＳデータを送信するとき、該専用キャリアは、ＭＢＭＳ制御メッセージを定期的に送信する必要がある。アンライセンススペクトルが連続的に有効ではないため、ＭＢＭＳ制御メッセージが定期的に送信されることは保証できない。端末がＭＢＭＳ制御メッセージを正確に受信しない場合、端末は、ＭＢＭＳデータを正確に受信することができない。
【００８５】
具体的には、基地局は、マルチメディアブロードキャスト・マルチキャストサービス単一周波数ネットワーク（ＭＢＳＦＮ、ｍｕｌｔｉｍｅｄｉａ  ｂｒｏａｄｃａｓｔ  ｍｕｌｔｉｃａｓｔ  ｓｅｒｖｉｃｅ  ｓｉｎｇｌｅ  ｆｒｅｑｕｅｎｃｙ  ｎｅｔｗｏｒｋ）を用いて、アンライセンスセルにおいてＭＢＭＳデータを伝送するよう構成される。基地局によりライセンスセルにおいて送信されるサービス移行メッセージは、ＭＢＳＦＮを用いて伝送される制御情報を含む。制御情報は、システム情報ブロック（ＳＩＢ、ｓｙｓｔｅｍ  ｉｎｆｏｒｍａｔｉｏｎ  ｂｌｏｃｋ）１３、マルチキャスト制御チャンネル（ＭＣＣＨ、ｍｕｌｔｉｃａｓｔ  ｃｏｎｔｒｏｌ  ｃｈａｎｎｅｌ）、及びＭＣＣＨ変更通知を含む。ＳＩＢ１３は、ＭＣＣＨのサブフレーム位置と、ＭＣＣＨメッセージを送信する期間と、用いられる変調及びコーディング方式とを示す。ＭＣＣＨは、ＭＢＭＳデータからＭＢＭＳ伝送チャネルへのマッピング関係と、各ＭＢＭＳ伝送チャネルにより占有されるサブフレームのビットマップと、スケジューリング開始位置と、期間と、用いられる変調及びコーディング方式とを示すために用いられる。ＭＣＣＨ変更通知は、ＭＣＣＨにおけるコンテンツが変わったことを示すために用いられ、これにより、ＭＣＣＨにおける新しいコンテンツを適時に読み取るように関心のある端末に命令する。制御情報がライセンスセルにおいて送信され、制御情報がアンライセンスセルにおいてＭＢＳＦＮを用いて伝送される制御情報を示すので、そのＭＢＳＦＮを用いて伝送される制御情報は、制御情報が属するセルの指示情報をさらに含む。
【００８６】
基地局は、基地局がアンライセンススペクトルの使用許可を取得しているかに従って、ＭＢＭＳデータが送信されるセルを決定する。基地局がアンライセンススペクトルの使用許可を取得した場合、基地局は、アンライセンスセルを用いてＭＢＭＳデータを送信する。基地局がアンライセンススペクトルの使用許可を取得していない場合、基地局は、ライセンススペクトルを用いてＭＢＭＳデータを送信する。基地局は、グループスケジューリング方式でライセンスセルにおいてＭＢＭＳデータを送信し得る。ライセンスセルは、ＭＢＭＳサービスからグループ無線ネットワーク一時的識別子（Ｇｒｏｕｐ−ＲＮＴＩ）へのマッピング関係を示す。ＭＢＭＳデータのグループスケジューリングシグナリングにおいて、対応するＧｒｏｕｐ−ＲＮＴＩを用いて、巡回冗長検査（ＣＲＣ、ｃｙｃｌｉｃ  ｒｅｄｕｎｄａｎｃｙ  ｃｈｅｃｋ）コードスクランブリングが実行される。アンライセンススペクトルの使用許可を取得した後、基地局は、ＭＢＭＳデータを受信するべく、アンライセンススペクトルに戻るように端末に命令する必要があることに留意すべきである。しかしながら、アンライセンススペクトルの使用許可を取得する時間が予測不能であるため、通知には時間が必要とされ、基地局は、いくつかのサブフレームの後にアンライセンスセルにおいてＭＢＭＳデータを伝送し得る。それに応じて、アンライセンススペクトルの使用許可を失う前に（基地局は、使用許可を失う時間を事前に知り得る）、基地局は、ＭＢＭＳデータを受信するべくライセンスセルに適時にスイッチするように端末に命令する必要がある。
【００８７】
さらに、基地局により端末に伝送されるサービスデータは、ユニキャストサービスデータ、又はＭＢＭＳデータであり得る。基地局がアンライセンススペクトルを用いることができる場合、基地局は、アンライセンススペクトル上で混合キャリア方式においてＭＢＭＳデータを伝送してよく、すなわち、アンライセンスセルにおけるサブフレームの一部分が、ＭＢＭＳデータを伝送するために用いられ、サブフレームの他の部分は、ＭＢＭＳデータを伝送するために用いられず、又は、基地局は、アンライセンススペクトル上で専用キャリア方式においてＭＢＭＳデータを伝送してよく、又は、基地局は、ＬＴＥ−ＷｉＦｉマルチフロー伝送の場合、ＷｉＦｉブロードキャスト方式において輻輳時のＭＢＭＳデータを伝送してよい。本願発明の全ての実施形態において、基地局は、キャリア上で、ＭＢＳＦＮ伝送を実行してよく、又はグループスケジューリングの単一セル伝送を実行してもよい。
【００８８】
以下では、第１スペクトルがアンライセンススペクトルであり、第２スペクトルがライセンススペクトルである場合の、基地局によりサービスデータを端末に送信するための方法を具体的に説明する。
【００８９】
図２に示されているように、基地局は、アンライセンススペクトルの使用許可を取得し得る。図２において示されているアンライセンスセルの実線ボックスは、基地局がアンライセンススペクトルを用いることができる期間におけるサブフレームを表し、図２において示されている点線ボックスは、基地局がアンライセンススペクトルを用いることができる期間外のサブフレームである。４つのサブフレームＡ、Ｂ、Ｃ、及びＤが、ＭＢＭＳデータを送信するために用いられるサブフレームである。ＭＢＭＳデータを送信するために用いられるサブフレームは、ＭＢＳＦＮサブフレームと称され、別の非ＭＢＳＦＮサブフレームは、ユニキャストサービスデータを送信するために用いられ得る。
【００９０】
図２は、基地局が１つのアンライセンススペクトルの使用許可を取得する状況を示すことに留意すべきである。本願発明の本実施形態において、基地局は、複数のアンライセンススペクトルの使用許可を同時に取得してよく、各アンライセンススペクトル上のサブフレームを用いて各アンライセンススペクトルの利用可能時間内にサービスデータを伝送してよい。
【００９１】
図３は、ＭＢＳＦＮサブフレームの概略構造図である。ＭＢＳＦＮサブフレームは、物理ダウンリンク制御チャネル（ＰＤＣＣＨ、ｐｈｙｓｉｃａｌ  ｄｏｗｎｌｉｎｋ  ｃｏｎｔｒｏｌ  ｃｈａｎｎｅｌ）エリア、及びＭＢＭＳ伝送エリアを含む。ＰＤＣＣＨエリアの公衆検索エリアは、ダウンリンク制御情報（ＤＣＩ、ｄｏｗｎｌｉｎｋ  ｃｏｎｔｒｏｌ  ｉｎｆｏｒｍａｔｉｏｎ）を保持し得る。サブフレームをモニタリングしている場合、端末は、サブフレームがＭＢＭＳデータを保持しているかを決定するべく、ＰＤＣＣＨエリアの公衆検索エリアに対してブラインド検出を実行してよい。ＭＢＭＳ伝送エリアは、媒体アクセス制御の制御要素（ＭＡＣ  ＣＥ、ｍｅｄｉｕｍ  ａｃｃｅｓｓ  ｃｏｎｔｒｏｌ  ｃｏｎｔｒｏｌ  ｅｌｅｍｅｎｔ）と、ＭＢＭＳデータとを保持する。
【００９２】
さらに、基地局は、ライセンススペクトル上の特定のサブフレームを用いてサービス移行メッセージを送信する。特定のサブフレームは、基地局が少なくとも１つのアンライセンススペクトルを用いてサービスデータを送信する前に、ライセンススペクトル上で伝送されるサブフレームである。
【００９３】
例えば、アンライセンススペクトルの使用許可を取得した後、基地局は、サービス移行メッセージをライセンススペクトル上の第１ＭＢＳＦＮサブフレームに追加する。図２は、図示の例として用いられる。サブフレームＢが、基地局がアンライセンススペクトルの使用許可を取得した後のライセンススペクトル上の第１ＭＢＳＦＮサブフレームである場合、基地局は、サービス移行メッセージをサブフレームＢに追加し得る。
【００９４】
前述は単に、図示のために用いられる例である。本願発明の本実施形態において、サービス移行メッセージは、非ＭＢＳＦＮサブフレームを用いて送信されてよい。このことは、本願発明において限定されるものではない。
【００９５】
具体的には、図３に示されているように、基地局は、ＭＢＳＦＮサブフレームにおいて、ＤＣＩの形式で、又はＭＡＣ  ＣＥの形式で、サービス移行メッセージを端末にブロードキャストしてよい。ＤＣＩは、ＭＢＳＦＮサブフレームの公衆検索エリアに配置され、ＭＡＣ  ＣＥは、ＭＢＳＦＮサブフレームのＭＢＭＳ伝送エリアに配置される。あるいは、基地局は、サービス移行メッセージを無線リソース制御（ＲＲＣ、ｒａｄｉｏ  ｒｅｓｏｕｒｃｅ  ｃｏｎｔｒｏｌ）シグナリングに追加してよい。このことは、本願発明において限定されるものではない。
【００９６】
さらに、本願発明の本実施形態の可能な実装態様において、基地局がアンライセンススペクトルの使用許可を取得した後、基地局はサービスデータをアンライセンススペクトルに移行しなければならないということを示しているわけではない。ユーザが、移行条件を予め設定してよい。例えば、ライセンススペクトル上でサービスデータの伝送中に輻輳が発生しているとき、基地局は、送信のためにサービスデータの一部分をアンライセンススペクトルに移行し得る。この場合、ライセンススペクトルを用いてサービス移行メッセージをブロードキャストする前に、基地局は、ライセンススペクトル上でサービスデータの伝送中に輻輳が発生していると決定してよい。
【００９７】
さらに、基地局は、以下の２つの方式で、アンライセンススペクトルを用いてサービスデータを端末に送信してよい。
【００９８】
方式１：基地局が、サブフレームスケジューリング方式で、少なくとも１つのアンライセンススペクトルを用いてサービスデータを端末に送信する。
【００９９】
方式１において、該サービス移行メッセージは、該少なくとも１つのアンライセンススペクトルの周波数情報、該少なくとも１つのアンライセンススペクトルを占有するアンライセンスセルのセル識別子、及び該サービスデータのサービス識別子を含み得る。
【０１００】
基地局がＭのアンライセンススペクトルの使用許可を取得し、Ｍが１に等しい、又は１より大きい正の整数である場合、基地局は、該サービスデータに対応するスケジューリング指示メッセージを端末に送信し、ここで、該スケジューリング指示メッセージは、該サービスデータの伝送チャネル識別子を含み、該伝送チャネル識別子は、該サービスデータが伝送される伝送チャネルを示すために用いられ、該Ｍのアンライセンススペクトル上のサブフレームを用いてサービスデータを送信する。
【０１０１】
このように、サービス移行メッセージを受信した後、端末は、アンライセンスセル識別子に対応するアンライセンスセルを監視し、周波数情報に従ってアンライセンススペクトル上のサブフレームに対してブラインド検出を実行する。端末によりサブフレームに対して実行されるブラインド検出は、サブフレームがサービスデータを保持しているかを決定するために用いられる。
【０１０２】
さらに、ブラインド検出によって、サブフレームがサービスデータを保持していることを検出した後、端末は、該伝送チャネル識別子に従って、対応する伝送チャネル上で伝送チャネル情報を取得する。伝送チャネル情報は、サブフレームにおいて保持されているサービスデータにより占有される物理的リソース位置と、サービスデータの変調及び復調方式とを示すために用いられる。このように、端末はさらに、該変調及び復調方式に従って、物理的リソース位置におけるデータをデコードし、サービス識別子に従って、デコードされたデータから、該端末に必要とされているサービスデータを取得する。
【０１０３】
サービス識別子は、基地局により送出されたサービスとは一対一の対応関係にあることに留意すべきである。基地局が複数個のサービスデータを同時に伝送し得るため、端末は、サービス識別子に従って、複数個のサービスデータから、該端末に必要とされているサービスデータを取得する場合がある。
【０１０４】
さらに、基地局は、ライセンススペクトル上のサブフレーム、又はアンライセンススペクトル上のサブフレームを用いて、スケジューリング指示メッセージを送信し得る。スケジューリング指示メッセージは、アンライセンススペクトル上の複数のサブフレームにおいて保持されているサービスデータにより占有される物理的リソース位置と、サービスデータの変調及び復調方式とを示すために用いられてよい。複数のサブフレームは、連続的なものであってよく、又は不連続なものであってよい。図４は、図示の例として用いられる。ライセンススペクトル上のサブフレームにおいて保持されているスケジューリング指示メッセージ（すなわち、ＤＣＩ）は、アンライセンススペクトル上の２つの不連続ＭＢＳＦＮサブフレームにおいてサービスデータを取得するように端末に命令する。
【０１０５】
複数のアンライセンススペクトルの使用許可を取得したとき、基地局は、サービスデータを送信するために、毎回、全てのアンライセンススペクトルを用いなくてよいことに留意すべきである。具体的には、基地局がＭのアンライセンススペクトルの使用許可を取得し、Ｍが１より大きい正の整数である場合、基地局は、該サービスデータに対応するスケジューリング指示メッセージを端末に送信し得る。該スケジューリング指示メッセージは、該サービスデータの伝送チャネル識別子と、Ｎのアンライセンススペクトルを占有するアンライセンスセルのセル識別子とを含む。該伝送チャネル識別子は、該サービスデータが伝送される伝送チャネルを示すために用いられる。該Ｎのアンライセンススペクトルは、該Ｍのアンライセンススペクトルのうち任意のＮのアンライセンススペクトルであり、Ｎは正の整数であり、かつ、１≦Ｎ≦Ｍである。基地局は、Ｎのアンライセンススペクトル上のサブフレームを用いてサービスデータを送信する。
【０１０６】
すなわち、サービス移行メッセージにおけるアンライセンスセルのセル識別子は、基地局がサービスデータを伝送し得るアンライセンスセルのセル識別子を指してよい。例えば、基地局が第１アンライセンススペクトルの使用許可及び第２アンライセンススペクトルの使用許可を取得した場合、サービス移行メッセージにおいて保持されているセル識別子は、第１アンライセンススペクトルを占有するアンライセンスセルのセル識別子、及び第２アンライセンススペクトルを占有するアンライセンスセルのセル識別子である。しかしながら、スケジューリング指示メッセージにおけるセル識別子は、サービスデータが現在送信されているアンライセンスセルのセル識別子であってよく、スケジューリング指示メッセージにおけるセル識別子は、第１アンライセンススペクトルを占有するアンライセンスセルのセル識別子、及び／又は、第２アンライセンススペクトルを占有するアンライセンスセルのセル識別子であってよい。
【０１０７】
このように、複数のアンライセンススペクトルの使用許可を取得した後、基地局は、サービスデータを送信するべく、該複数のアンライセンススペクトルから、１つ又は複数のアンライセンススペクトルを選択し得る。この場合、基地局は、アンライセンススペクトル上で、又はライセンススペクトル上で、１個のＤＣＩ又は複数個のＤＣＩを用いてスケジューリング指示メッセージを送信してよい。基地局が１個のＤＣＩを用いて複数のサブフレームにおいて保持されているサービスデータを示す場合、異なるアンライセンスセルの複数個のサービスデータは、該複数個のサービスデータに対応するサブフレームにおいて同じ物理的リソース位置を占有しなければならないことに留意すべきである。
【０１０８】
図５は、図示のための例として用いられる。基地局は、第１アンライセンスセルのアンライセンススペクトルの使用許可及び第２アンライセンスセルのアンライセンススペクトルの使用許可を個別に取得する。第１アンライセンスセルは、第１アンライセンススペクトルを占有し、第２アンライセンスセルは、第２アンライセンススペクトルを占有する。この場合、サービス移行メッセージは、第１アンライセンスセルのセル識別子と、第２アンライセンスセルのセル識別子と、第１アンライセンススペクトルの周波数情報と、第２アンライセンススペクトルの周波数情報と、第１アンライセンスセルにおいて伝送されるサービスデータのサービス識別子と、第２ライセンスセルにおいて伝送されるサービスデータのサービス識別子とを含む。スケジューリング指示メッセージは、第１アンライセンスセルのセル識別子と、第２アンライセンスセルのセル識別子と、第１ライセンスセルにおいて伝送されるサービスの伝送チャネル識別子と、第２ライセンスセルにおいて伝送されるサービスの伝送チャネル識別子とを含む。
【０１０９】
本願発明の本実施形態において、サービスデータはまた、方式１で再伝送されてよい。具体的には、端末がアンライセンスセルにおいてサービスデータを受信していない、又は正確に受信していないとき、端末は、再伝送指示メッセージを、ライセンスセル又はアンライセンスセルに送信し得る。該再伝送指示メッセージは、端末により受信されていないサービスデータパケットのシリアルナンバー、又は、端末により正確に受信されていないサービスデータのサブフレームナンバーを含んでよい。このように、再伝送指示メッセージを受信した後、基地局は、該シリアルナンバー又はサブフレームナンバーに従って、再伝送される必要があるサービスデータを決定し、ライセンスセル又はアンライセンスセルを用いて、該サービスデータを端末に再伝送する。この場合、スケジューリング指示メッセージは、再伝送識別子をさらに含んでよく、これにより、端末は、再伝送されるサービスデータを区別することができる。
【０１１０】
基地局はまた、アンライセンスセル以外の別のセルを用いて、サービスデータを再伝送してよい。別のセルは、ライセンスセルであってよく、又は別のアンライセンスセルであってよい。基地局は、該別のセルを用いてサービスデータを再伝送し、これにより、端末が「隠れノード」に起因してデータを受信できないといった問題が解決できる。例えば、端末が第１セル及び第２セルに同時に位置しており、第１セルの基地局と第２セルの基地局との間に比較的長い距離が存在するため、第１セルの基地局及び第２セルの基地局は、互いの存在を検出することができない。この場合、第１セルの基地局及び第２セルの基地局は、互いの隠れノードである。このように、第１セル及び第２セルが同時にサービスデータを端末に送信する場合、データ衝突が引き起こされ、これにより、端末は、データを受信することができない。第１セルが再伝送を実行する時間間隔が、第２セルが再伝送を実行する時間間隔と同じであるため、第１セルの基地局及び第２セルの基地局が同じセルを用いて再伝送を実行する場合、端末は、データ衝突に起因して再伝送されるサービスデータを依然として受信することができない。この場合、基地局は、別のセルを用いて再伝送を実行してよく、これにより、隠れノード問題を解決する。
【０１１１】
アンライセンスセルを用いてサービスデータを再伝送するための前述した方法によれば、端末のパケット損失率が減少する。
【０１１２】
方式２：基地局は、少なくとも１つのアンライセンススペクトル上の専用サブフレームの配置情報、及びサービスデータの伝送チャネル情報を端末に送信し、基地局は、該専用サブフレームを用いてサービスデータを端末に送信する。
【０１１３】
専用サブフレームは、サービスデータを保持するために具体的に用いられるサブフレームであってよい。例えば、期間内のいくつかの連続するサブフレームが、専用サブフレームとしてみなされてよく、又は、サービスデータを伝送するために用いられ、配置情報により示されるサブフレームも、専用サブフレームとしてみなされてよい。
【０１１４】
任意選択的に、基地局は、サービス移行メッセージを用いて、専用サブフレームの配置情報と、サービスデータの伝送チャネル情報とを端末に送信してよい。すなわち、方式２において、サービス移行メッセージは、少なくとも１つのアンライセンススペクトルの周波数情報と、少なくとも１つのアンライセンススペクトルを占有するアンライセンスセルのセル識別子と、サービスデータのサービス識別子と、専用サブフレームの配置情報と、サービスデータの伝送チャネル情報とを含む。
【０１１５】
前述は本願発明の本実施形態の可能な実装態様に過ぎない。サービス移行メッセージをブロードキャストした後、基地局はまた、ライセンススペクトル上のサブフレーム、又はアンライセンススペクトル上のサブフレームを用いて、該専用サブフレームの配置情報、及び該サービスデータの伝送チャネル情報を端末に送信してよい。このことは、本願発明において限定されるものではない。
【０１１６】
任意選択的に、全ての専用サブフレームがサービスデータを保持する場合、該専用サブフレームの配置情報は、該専用サブフレームにより占有される期間、又は該専用サブフレームの数量であってよい。
【０１１７】
基地局は、専用サブフレームの開始位置について、端末と事前合意してよいことに留意すべきである。例えば、基地局は、該専用サブフレームの前のサブフレームを用いて、配置情報及びサービスデータの伝送チャネル情報を送信してよい。サブフレームにおいて配置情報及びサービスデータの伝送チャネル情報を取得した後、端末は、対応する期間を占有する専用サブフレーム又は対応する数量の専用サブフレームを次のサブフレームから直接受信し始め、伝送チャネル情報とサービス移行メッセージにおけるサービス識別子とに従って、専用サブフレームにおいて保持されているサービスデータを取得する。あるいは、基地局は、毎回、専用サブフレームの開始位置を端末に通知してよい。この場合、配置情報は、該専用サブフレームの開始位置情報をさらに含む。
【０１１８】
例えば、図６において示されているように、図面における太線ブロックは、アンライセンススペクトル上の専用サブフレームであり、矢印により示されている方向は、サブフレーム伝送の時間的方向である。基地局は、ＭＢＳＦＮサブフレームＢを用いて、該専用サブフレームの配置情報と、該専用サブフレームにおいて保持されているサービスデータの伝送チャネル情報とを送信する。該専用サブフレームの配置情報は、該専用サブフレームにより占有される期間、又は該専用サブフレームの数量を含み、配置情報は、該専用サブフレームの開始位置情報をさらに含む。図６において示されているように、開始位置情報は、アンライセンススペクトル上にあってＭＢＳＦＮサブフレームＢに続いているサブフレームが第１専用サブフレームであることを示す。このように、配置情報及び伝送チャネル情報を受信した後、該端末は、開始位置情報に従って、アンライセンススペクトル上で、対応する期間を占有する専用サブフレームを連続的に受信する。あるいは、基地局は、受信されたサブフレームをカウントし、６つの専用サブフレームを連続的に受信し、伝送チャネル情報とサービス移行メッセージにおけるサービス識別子とに従って、専用サブフレームにおいて保持されているサービスデータを取得する。従って、端末は、専用サブフレームに対してブラインド検出を実行する必要がない。
【０１１９】
任意選択的に、該専用サブフレームの配置情報は、ビットマップを含み、該ビットマップは、サービスデータを保持する専用サブフレームを示すために用いられる。
【０１２０】
例えば、予め設定されたビットマップは、１０１００１といった６つのビットを含む。各ビットは１サブフレームに対応する。ビットの値が０である場合、該ビットに対応するサブフレームはＭＢＳＦＮ専用サブフレームであることを示す。ビットの値が１である場合、該ビットに対応するサブフレームは非ＭＢＳＦＮ専用サブフレームであることを示す。図７において示されているように、矢印により示されている方向は、サブフレーム伝送の時間的方向である。基地局は、アンライセンススペクトル上にあってＭＢＳＦＮサブフレームＢに続いているサブフレームが、ビットマップにおける第１ビットに対応するサブフレームであることについて、端末と事前合意してよく、後続のビットが後続のサブフレームに順次に対応する。ＭＢＳＦＮサブフレームＢがサービス移行メッセージを保持し、該サービス移行メッセージがビットマップを含む場合、サービス移行メッセージを受信した後、端末は、ビットマップに従って、非ＭＢＳＦＮ専用サブフレームを直接破棄し、伝送チャネル情報及びサービス識別子に従って、ＭＢＳＦＮ専用サブフレームにおいて保持されているＭＢＭＳデータを取得する。従って、端末は、ビットマップに対応するサブフレームに対してブラインド検出を実行する必要がない。
【０１２１】
前述は、図示のために用いられる例に過ぎない。基地局はまた、ビットの値が１である場合、該ビットに対応するサブフレームがＭＢＳＦＮ専用サブフレームであることを示し、ビットの値が０である場合、該ビットに対応するサブフレームが非ＭＢＳＦＮ専用サブフレームであることを示すことについて、端末と事前合意してよい。このことは、本願発明において限定されるものではない。
【０１２２】
任意選択的に、基地局は、指示情報を専用サブフレームのうち最後のサブフレームに追加する。指示メッセージは、後続のサブフレームに対してブラインド検出を実行するかを決定するために端末により用いられる。ブラインド検出は、後続のサブフレームが新しいサービスデータを保持しているかを決定するために用いられる。
【０１２３】
具体的には、基地局が少なくとも１つのアンライセンススペクトルを用いてサービスデータを送信し得ないことを、指示情報が示している場合、端末は、該少なくとも１つのアンライセンススペクトル上のサブフレームに対してブラインド検出を実行する必要がない場合がある。基地局が少なくとも１つのアンライセンススペクトルを用いてサービスデータを送信し得ることを、指示情報が示している場合、端末は、少なくとも１つのアンライセンススペクトル上のサブフレームに対してブラインド検出を実行し得る。このように、基地局は、事前に専用サブフレームの数量を正確に決定する必要がない。グループサービスなど、そのデータ量が大幅変動するサービスに対して、基地局は、専用サブフレームの近似数量を設定し得る。伝送されるべきデータの量が比較的大きいため、専用サブフレームが全てのデータを保持できない場合、基地局は、後続のサブフレームを用いて超過したデータを送信し、該専用サブフレームのうち最後のサブフレームに指示情報を追加してよく、これにより、後続のサブフレームに対してブラインド検出を実行するように端末に命令し、これにより、比較的小さいデータ量が伝送されるときの過剰の専用サブフレームにより引き起こされるサブフレーム浪費を回避する。
【０１２４】
前述の方式１において、アンライセンススペクトル上にあり、サービスデータを伝送するために用いられるサブフレームは、動的に決定されることができることに留意すべきである。この場合、端末は、アンライセンススペクトル上のサブフレームに対してブラインド検出を実行してよく、これにより、該サブフレームがサービスデータを保持しているかを決定する。しかしながら、方式２において、基地局は、サービスデータを伝送するべく、アンライセンススペクトル上の専用サブフレームを事前配置し、該専用サブフレームの配置情報を端末に送信する。このように、端末は、専用サブフレームに対してブラインド検出を実行する必要がないが、伝送チャネル情報に従って、専用サブフレームからサービスデータを直接取得する。加えて、方式２において、非専用サブフレームに対して、基地局は、方式１の方法に従って、どのサブフレームがサービスデータを伝送するために用いられるかを動的に決定してよい。従って、実装態様がよりフレキシブルである。
【０１２５】
さらに、少なくとも１つのアンライセンススペクトルの使用許可が終了したとき、基地局は、該ライセンススペクトル又は該少なくとも１つのアンライセンススペクトルを用いて、サービス逆方向移行メッセージをブロードキャストする。サービス逆方向移行メッセージは、ライセンススペクトル上でサービスデータを再び受信するように端末に命令するために用いられる。
【０１２６】
このように、基地局は、アンライセンススペクトルを用いて、サービスデータを伝送してよく、これにより、アンライセンススペクトル利用率を向上させ、主要セルにより占有されるライセンススペクトル上でサービスデータを伝送する負担を低減し、ユーザエクスペリエンスを向上させる。
【０１２７】
加えて、前述は単に、第１スペクトルがアンライセンススペクトルであり、第２スペクトルがライセンススペクトルである場合について説明されている。しかしながら、当業者は、本願発明の本実施形態が第１スペクトル及び第２スペクトルの両方がライセンススペクトルである場合にも適用可能であることを理解すべきである。
【０１２８】
本願発明の実施形態が別のサービスデータ伝送方法を提供する。図８において示されているように、該方法は、以下の段階を備える。
【０１２９】
Ｓ８０１．端末が、基地局により第２スペクトルを用いてブロードキャストされたサービス移行メッセージを受信し、ここで、サービス移行メッセージは、少なくとも１つの第１スペクトル上でサービスデータを受信するように端末に命令するために用いられる。
【０１３０】
Ｓ８０２．端末は、該サービス移行メッセージに従って、基地局により該少なくとも１つの第１スペクトルを用いて送信されたサービスデータを受信する。
【０１３１】
任意選択的に、第１スペクトル及び第２スペクトルの両方は、ライセンススペクトルである。このように、第２スペクトルのリソースが比較的低品質であるとき、例えば、無線信号強度が比較的弱く、ネットワークのアップリンク及びダウンリンク率が比較的低いとき、基地局は、伝送のために、第２スペクトル上で伝送されるサービスデータを、比較的良好なリソースを有する第１スペクトルに移行してよく、これにより、スペクトル利用率を向上させ、サービスデータ伝送速度を速め、ユーザエクスペリエンスを向上させる。
【０１３２】
以下では、第１スペクトルがアンライセンススペクトルであり、第２スペクトルがライセンススペクトルである場合において端末が基地局により送信されたサービスデータを受信する方法を具体的に説明する。
【０１３３】
詳細については、前述した方法の実施形態における対応する説明を参照されたい。少なくとも１つのアンライセンススペクトルの使用許可を取得した後、基地局は、ライセンススペクトルを用いて、サービス移行メッセージを端末に送信する。サービス移行メッセージは、該少なくとも１つのアンライセンススペクトルの周波数情報と、該少なくとも１つのアンライセンススペクトルを占有するアンライセンスセルのセル識別子と、該サービスデータのサービス識別子とを含み得る。
【０１３４】
このように、サービス移行メッセージを受信した後、端末は、該アンライセンスセル識別子に対応するアンライセンスセルを監視し、該周波数情報に従って、該アンライセンススペクトル上のサブフレームに対してブラインド検出を実行する。端末によりサブフレームに対して実行されるブラインド検出は、該サブフレームがサービスデータを保持するかを決定するために用いられる。
【０１３５】
さらに、端末は、以下の２つの方式で、該サービス移行メッセージに従って、該少なくとも１つのアンライセンススペクトル上でサービスデータを取得する。
【０１３６】
方式１：端末は、基地局により少なくとも１つのアンライセンススペクトルを用いてスケジューリング方式で送信されたサービスデータを受信する。
【０１３７】
具体的には、基地局がＭのアンライセンススペクトルの使用許可を取得し、Ｍが１に等しい、又は１より大きい正の整数である場合、端末は、基地局により送信されたスケジューリング指示メッセージを受信し、ここで、スケジューリング指示メッセージは、サービスデータの伝送チャネル識別子を含み、該サービス移行メッセージに従って、基地局により該Ｍのアンライセンススペクトルを用いて送信されたサブフレームを受信し、該スケジューリング指示メッセージに従って、該サブフレームにおいて保持されているサービスデータを取得する。
【０１３８】
具体的には、サービス移行メッセージを受信した後、端末は、該アンライセンスセル識別子に対応するアンライセンスセルを監視し、該周波数情報に従って、該アンライセンススペクトル上のサブフレームに対してブラインド検出を実行する。ブラインド検出によって、該サブフレームがサービスデータを保持していることを検出した後、端末は、該伝送チャネル識別子に従って、対応する伝送チャネル上で伝送チャネル情報を取得する。伝送チャネル情報は、該サブフレームにおいて保持されているサービスデータにより占有される物理的リソース位置と、該サービスデータの変調及び復調方式とを示すために用いられる。このように、端末はさらに、該変調及び復調方式に従って、物理的リソース位置におけるデータをデコードし、サービス識別子に従って、デコードされたデータから、該端末に必要とされているサービスデータを取得する。
【０１３９】
複数のアンライセンススペクトルの使用許可を取得したとき、基地局は、サービスデータを送信するために、毎回、全てのアンライセンススペクトルを用いなくてもよい。具体的には、基地局がＭのアンライセンススペクトルの使用許可を取得し、Ｍが１より大きい正の整数であるとき、端末は、基地局により送信されたスケジューリング指示メッセージを受信してよく、ここで、該スケジューリング指示メッセージは、サービスデータの伝送チャネル識別子と、Ｎのアンライセンススペクトルを占有するアンライセンスセルのセル識別子とを含み、該伝送チャネル識別子は、該サービスデータが伝送される伝送チャネルを示すために用いられ、該Ｎのアンライセンススペクトルは該Ｍのアンライセンススペクトルのうち任意のＮのアンライセンススペクトルであり、Ｎは正の整数であり、かつ、１≦Ｎ≦Ｍであり、該サービス移行メッセージに従って、基地局により該Ｎのアンライセンススペクトルを用いて送信されたサブフレームを受信し、該スケジューリング指示メッセージに従って、該Ｎのアンライセンススペクトル上のサブフレームにおいて保持されているサービスデータを取得する。
【０１４０】
すなわち、サービス移行メッセージにおけるアンライセンスセルのセル識別子は、基地局がサービスデータを伝送し得るアンライセンスセルのセル識別子を指し得る。例えば、基地局が第１アンライセンススペクトルの使用許可及び第２アンライセンススペクトルの使用許可を取得した場合、サービス移行メッセージにおいて保持されているセル識別子は、第１アンライセンススペクトルを占有するアンライセンスセルのセル識別子、及び第２アンライセンススペクトルを占有するアンライセンスセルのセル識別子である。しかしながら、スケジューリング指示メッセージにおけるセル識別子は、サービスデータが現在送信されているアンライセンスセルのセル識別子であってよく、スケジューリング指示メッセージにおけるセル識別子は、第１アンライセンススペクトルを占有するアンライセンスセルのセル識別子、及び／又は第２アンライセンススペクトルを占有するアンライセンスセルのセル識別子であってよい。
【０１４１】
このように、複数のアンライセンススペクトルの使用許可を取得した後、基地局は、サービスデータを送信するべく、複数のアンライセンススペクトルから、１つ又は複数のアンライセンススペクトルを選択し得る。この場合、基地局は、アンライセンススペクトル上、又はライセンススペクトル上で、１個のＤＣＩ又は複数個のＤＣＩを用いてスケジューリング指示メッセージを送信してよい。基地局が、１個のＤＣＩを用いて複数のサブフレームにおいて保持されているサービスデータを示す場合、異なるアンライセンスセルの複数個のサービスデータは、該複数個のサービスデータに対応するサブフレームにおいて同じ物理的リソース位置を占有しなければならないことに留意すべきである。
【０１４２】
任意選択的に、方式１において、端末がアンライセンスセルにおいてサービスデータを受信していない、又は正確に受信してないとき、端末は、ライセンスセル又はアンライセンスセルに再伝送指示メッセージを送信し得る。再伝送指示メッセージは、端末により受信されていないサービスデータパケットのシリアルナンバー、又は端末により正確に受信されていないサービスデータのサブフレームナンバーを含み得る。このように、再伝送指示メッセージを受信した後、基地局は、該シリアルナンバー又はサブフレームナンバーに従って、再伝送される必要があるサービスデータを決定し、該ライセンスセル又はアンライセンスセルを用いて、サービスデータを端末に再伝送する。この場合、スケジューリング指示メッセージは、再伝送識別子をさらに含んでよく、これにより、端末は、再伝送されるサービスデータを区別することができる。
【０１４３】
基地局はまた、アンライセンスセル以外の別のセルを用いて、サービスデータを再伝送し得る。該別のセルは、ライセンスセルであってよく、又は別のアンライセンスセルであってよい。基地局は、該別のセルを用いてサービスデータを再伝送し、これにより、端末が「隠れノード」に起因してデータを受信できないといった問題は解決できる。例えば、端末が第１セル及び第２セルに同時に位置し、第１セルの基地局と第２セルの基地局との間に比較的長い距離が存在するため、第１セルの基地局及び第２セルの基地局は、互いの存在を検出することができない。この場合、第１セルの基地局及び第２セルの基地局は、互いの隠れノードである。このように、第１セル及び第２セルがサービスデータを端末に同時に送信する場合、データ衝突が引き起こされ、これにより、端末は、データを受信することができない。第１セルが再伝送を実行する時間間隔が、第２セルが再伝送を実行する時間間隔と同じであるため、第１セルの基地局及び第２セルの基地局が同じセルを用いて再伝送を実行する場合、端末は、データ衝突に起因して、再伝送されるサービスデータを依然として受信できない。この場合、基地局は、別のセルを用いて再伝送を実行してよく、これにより、隠れノード問題を解決する。
【０１４４】
アンライセンスセルを用いてサービスデータを再伝送するための前述した方法によれば、端末のパケット損失率が減少する。
【０１４５】
方式２：端末は、基地局により送信された、専用サブフレームの配置情報及びサービスデータの伝送チャネル情報を受信し、該サービス移行メッセージと、該専用サブフレームの配置情報と、該サービスデータの伝送チャネル情報とに従って、該少なくとも１つのアンライセンススペクトル上の専用サブフレームにおいて保持されているサービスデータを取得する。
【０１４６】
専用サブフレームは、サービスデータを保持するために具体的に用いられるサブフレームであってよい。例えば、期間内のいくつかの連続するサブフレームが、専用サブフレームとしてみなされてよく、又は、サービスデータを伝送するために用いられ、配置情報により示されるサブフレームも、専用サブフレームとしてみなされてよい。
【０１４７】
任意選択的に、基地局は、サービス移行メッセージを用いて、専用サブフレームの配置情報と、サービスデータの伝送チャネル情報とを端末に送信してよい。すなわち、方式２において、サービス移行メッセージは、少なくとも１つのアンライセンススペクトルの周波数情報と、少なくとも１つのアンライセンススペクトルを占有するアンライセンスセルのセル識別子と、サービスデータのサービス識別子と、専用サブフレームの配置情報と、サービスデータの伝送チャネル情報とを含む。
【０１４８】
前述は、本願発明の本実施形態の可能な実装態様に過ぎない。サービス移行メッセージをブロードキャストした後、基地局はまた、ライセンススペクトル上のサブフレーム、又はアンライセンススペクトル上のサブフレームを用いて、専用サブフレームの配置情報と、サービスデータの伝送チャネル情報とを端末に送信してよい。このことは、本願発明において限定されるものではない。
【０１４９】
任意選択的に、全ての専用サブフレームがサービスデータを保持する場合、該専用サブフレームの配置情報は、該専用サブフレームにより占有される期間、又は該専用サブフレームの数量であってよい。
【０１５０】
基地局は、専用サブフレームの開始位置について、端末と事前合意してよいことに留意すべきである。例えば、基地局は、専用サブフレームの前のサブフレームを用いて、配置情報とサービスデータの伝送チャネル情報とを送信してよい。サブフレームにおいて配置情報及びサービスデータの伝送チャネル情報を取得した後、端末は、対応する期間を占有する専用サブフレーム又は対応する数量の専用サブフレームを次のサブフレームから直接受信し始め、伝送チャネル情報及びサービス移行メッセージにおけるサービス識別子に従って、専用サブフレームにおいて保持されているサービスデータを取得する。あるいは、基地局は、毎回、専用サブフレームの開始位置を端末に通知してよい。この場合、配置情報は、専用サブフレームの開始位置情報をさらに含む。
【０１５１】
例えば、図６において示されているように、図面における太線ブロックは、アンライセンススペクトル上の専用サブフレームであり、矢印により示されている方向は、サブフレーム伝送の時間的方向である。基地局は、ＭＢＳＦＮサブフレームＢを用いて、専用サブフレームの配置情報と、該専用サブフレームにおいて保持されているサービスデータの伝送チャネル情報とを送信する。該専用サブフレームの配置情報は、該専用サブフレームにより占有される期間、又は該専用サブフレームの数量を含み、配置情報は、該専用サブフレームの開始位置情報をさらに含む。図６において示されているように、開始位置情報は、アンライセンススペクトル上にあってＭＢＳＦＮサブフレームＢに続いているサブフレームが第１専用サブフレームであることを示す。このように、配置情報及び伝送チャネル情報を受信した後、端末は、開始位置情報に従って、アンライセンススペクトル上で、対応する期間を占有する専用サブフレームを連続的に受信する。あるいは、基地局は、受信されたサブフレームをカウントし、６つの専用サブフレームを連続的に受信し、伝送チャネル情報及びサービス移行メッセージにおけるサービス識別子に従って、専用サブフレームにおいて保持されているサービスデータを取得する。従って、端末は、専用サブフレームに対してブラインド検出を実行する必要がない。
【０１５２】
任意選択的に、専用サブフレームの配置情報は、該専用サブフレーム内においてサービスデータを保持するサブフレームを示すために用いられるビットマップを含む。
【０１５３】
例えば、予め設定されたビットマップは、１０１００１といった６つのビットを含む。各ビットは、１サブフレームに対応する。ビットの値が０である場合、該ビットに対応するサブフレームがＭＢＳＦＮ専用サブフレームであることを示す。ビットの値が１である場合、該ビットに対応するサブフレームが非ＭＢＳＦＮ専用サブフレームであることを示す。図７において示されているように、矢印により示されている方向は、サブフレーム伝送の時間的方向である。基地局は、アンライセンススペクトル上にあってＭＢＳＦＮサブフレームＢに続いているサブフレームが、ビットマップにおける第１ビットに対応するサブフレームであることについて、端末と事前合意してよく、後続のビットが後続のサブフレームに順次に対応する。ＭＢＳＦＮサブフレームＢがサービス移行メッセージを保持し、該サービス移行メッセージがビットマップを含む場合、該サービス移行メッセージを受信した後、端末は、ビットマップに従って、非ＭＢＳＦＮ専用サブフレームを直接破棄し、伝送チャネル情報及びサービス識別子に従って、ＭＢＳＦＮ専用サブフレームにおいて保持されているＭＢＭＳデータを取得する。従って、端末は、該ビットマップに対応するサブフレームに対してブラインド検出を実行する必要がない。任意選択的に、基地局は、該専用サブフレームのうち最後のサブフレームに指示情報を追加する。指示メッセージは、後続のサブフレームに対してブラインド検出を実行するかを決定するために端末により用いられる。ブラインド検出は、後続のサブフレームが新しいサービスデータを保持しているかを決定するために用いられる。
【０１５４】
具体的には、基地局が少なくとも１つのアンライセンススペクトルを用いてサービスデータを送信し得ないことを指示情報が示している場合、端末は、少なくとも１つのアンライセンススペクトル上のサブフレームに対してブラインド検出を実行する必要がない場合がある。基地局が少なくとも１つのアンライセンススペクトルを用いてサービスデータを送信し得ることを指示情報が示している場合、端末は、少なくとも１つのアンライセンススペクトル上のサブフレームに対してブラインド検出を実行し得る。このように、基地局は、事前に専用サブフレームの数量を正確に決定する必要がない。グループ（Ｇｒｏｕｐ）サービスなど、そのデータ量が大幅に変動するサービスに対して、基地局は、専用サブフレームの近似数量を設定し得る。伝送されるべきデータの量が比較的大きいため、専用サブフレームが全てのデータを保持できないとき、基地局は、後続のサブフレームを用いて超過したデータを送信して専用サブフレームのうち最後のサブフレームに指示情報を追加してよく、後続のサブフレームに対してブラインド検出を実行するように端末に命令し、これにより、比較的小さいデータ量が伝送されるときの過剰の専用サブフレームにより引き起こされるサブフレーム浪費を回避する。
【０１５５】
さらに、端末は、基地局により該ライセンススペクトル又は該少なくとも１つのアンライセンススペクトルを用いてブロードキャストされたサービス逆方向移行メッセージを受信し、該サービス逆方向移行メッセージに従って、該ライセンススペクトル上でサービスデータを再び受信する。
【０１５６】
前述は単に、第１スペクトルがアンライセンススペクトルであり、第２スペクトルがライセンススペクトルである場合について説明されていることに留意すべきである。しかしながら、当業者であれば、本願発明の本実施形態は、第１スペクトル及び第２スペクトルの両方がライセンススペクトルである場合にも適用可能であることを理解するべきである。
【０１５７】
本願発明の実施形態において提供されるサービスデータ伝送方法の技術的解決手段を当業者により明確に理解してもらうために、以下では、具体的な実施形態を用いて技術的解決手段を詳細に説明する。本願発明の本実施形態は、基地局が単一アンライセンススペクトルの使用許可を取得し、サブフレームスケジューリング方式でＭＢＭＳデータを伝送する例を用いて説明される。図９において示されているように、技術的解決手段は、以下の段階を含む。
【０１５８】
Ｓ９０１．基地局が、ライセンスセルにおいて、ライセンススペクトルを用いてＭＢＭＳデータを端末に送信する。
【０１５９】
Ｓ９０２．基地局は、アンライセンススペクトルの使用許可を取得し、現在のＭＢＭＳデータの伝送中に輻輳が発生していると決定する。
【０１６０】
Ｓ９０３．基地局は、該ライセンススペクトルを用いて、サービス移行メッセージを端末にブロードキャストする。
【０１６１】
サービス移行メッセージは、該アンライセンススペクトル上でサービスデータを受信するように端末に命令するために用いられる。
【０１６２】
具体的には、図２において示されているように、基地局は、ＭＢＳＦＮサブフレームにおいて、ＤＣＩの形式で、又はＭＡＣ  ＣＥの形式で、端末にサービス移行メッセージをブロードキャストしてよい。ＤＣＩは、該ＭＢＳＦＮサブフレームの公衆検索エリアに配置され、ＭＡＣ  ＣＥは、該ＭＢＳＦＮサブフレームのＭＢＭＳ伝送エリアに配置される。あるいは、基地局は、サービス移行メッセージを無線リソース制御ＲＲＣシグナリングに追加してよい。このことは本願発明において限定されるものではない。
【０１６３】
Ｓ９０４．端末は、サービス移行メッセージに従って、アンライセンススペクトル上のサブフレームに対してブラインド検出を実行する。
【０１６４】
具体的には、サービス移行メッセージは、該アンライセンススペクトルの周波数情報と、該アンライセンススペクトルを占有するアンライセンスセルのセル識別子と、該ＭＢＭＳデータのサービス識別子とを含む。この場合、サービス移行メッセージを受信した後、端末は、サービス移行メッセージにおけるセル識別子及び周波数情報に従って、アンライセンススペクトル上のサブフレームを監視し、監視によって検出されたサブフレームに対してブラインド検出を実行してサブフレームがＭＢＭＳデータを保持するかを決定する。
【０１６５】
Ｓ９０５．基地局は、該ライセンススペクトルを用いて、スケジューリング指示メッセージを端末に送信する。
【０１６６】
スケジューリング指示メッセージは、伝送チャネル識別子を含み、伝送チャネル識別子は、該ＭＢＭＳデータが伝送される伝送チャネルを示すために用いられる。
【０１６７】
基地局はまた、該アンライセンススペクトルを用いて、スケジューリング指示メッセージを送信してよいことに留意すべきである。
【０１６８】
Ｓ９０６．基地局は、該アンライセンススペクトル上のサブフレームを用いて、該スケジューリング指示メッセージに対応するＭＢＭＳデータを伝送する。
【０１６９】
Ｓ９０７．ブラインド検出によって、サブフレームがＭＢＭＳデータを保持していることを検出したとき、端末は、該スケジューリング指示メッセージに従って、該サブフレームにおけるＭＢＭＳデータを取得する。
【０１７０】
具体的には、ブラインド検出によって、サブフレームがＭＢＭＳデータを保持していることを検出した後、端末は、伝送チャネル識別子に従って、対応する伝送チャネル上で伝送チャネル情報を取得し、該伝送チャネル情報は、サブフレームにおいて保持されているＭＢＭＳデータにより占有される物理的リソース位置と、該ＭＢＭＳデータの変調及び復調方式とを示すために用いられる。このように、端末は、該変調及び復調方式に従って、物理的リソース位置におけるデータをデコードし、サービス識別子に従ってデコードされたデータから、該端末に必要とされているサービスデータを取得する。サービス識別子は、基地局により送出されたサービスとは一対一の対応関係にある。基地局が複数個のサービスデータを同時に伝送し得るため、端末は、サービス識別子に従って、複数個のサービスデータから、該端末に必要とされているサービスデータを取得する必要がある。
【０１７１】
Ｓ９０８．アンライセンススペクトルの使用許可が終了したとき、基地局は、サービス逆方向移行メッセージを端末にブロードキャストする。
【０１７２】
具体的には、基地局は、該ライセンススペクトル又は該アンライセンススペクトルを用いて、サービス逆方向移行メッセージをブロードキャストし得る。
【０１７３】
Ｓ９０９．端末は、該サービス逆方向移行メッセージに従って、ライセンススペクトル上でＭＢＭＳデータを再び受信する。
【０１７４】
説明を簡潔にするために、前述した方法の実施形態は、一連の動作として表されていることに留意すべきである。しかしながら、当業者であれば、本願発明は説明される動作シーケンスに限定されるものではないことを理解するべきである。加えて、当業者はまた、明細書に説明されている全ての実施形態が好ましい実施形態であり、関連動作及びモジュールは、必ずしも本願発明に必須とされるわけではないことを理解するべきである。
【０１７５】
このように、基地局は、該アンライセンススペクトルを用いてサービスデータを伝送してよく、これにより、アンライセンススペクトル利用率を向上させる。
【０１７６】
図３及び図８において示されている方法の実施形態の方式２に関連して、本願発明の本実施形態において、伝送チャネル情報、及び少なくとも１つのアンライセンススペクトル上の基地局の専用サブフレームの配置情報も、サービス移行メッセージに追加されてよい。このように、端末は、配置情報に従って、どのサブフレームがＭＢＭＳデータを保持するかを決定し、専用サブフレームに対してブラインド検出を実行することなく、伝送チャネル情報に従って、専用サブフレームにおけるＭＢＭＳデータを直接取得してよい。
【０１７７】
本願発明の本実施形態において、複数のアンライセンススペクトルの使用許可を取得したとき、基地局は、別のアンライセンススペクトルを用いて、前述した段階に従って、ＭＢＭＳデータを伝送し得ることに留意すべきである。
【０１７８】
加えて、前述は単に、第１スペクトルがアンライセンススペクトルであり、第２スペクトルがライセンススペクトルである場合について説明されている。しかしながら、当業者であれば、本願発明の本実施形態は、第１スペクトル及び第２スペクトルが両方ともライセンススペクトルである場合にも適用可能であることを理解するべきである。さらに、第１スペクトル及び第２スペクトルが両方ともライセンススペクトルであるとき、基地局は、伝送のために、第２スペクトル上で伝送されるサービスデータを、比較的良好なリソースを有する第１スペクトルに移行してよく、これにより、スペクトル利用率を向上させる。
【０１７９】
本願発明の実施形態が基地局１０を提供し、図３に示されているサービスデータ伝送方法を実装する。図１０において示されているように、基地局１００は、少なくとも１つの第１スペクトルの使用許可を取得するよう構成される取得ユニット１０１と、第２スペクトルを用いてサービス移行メッセージを端末にブロードキャストするよう構成されるメッセージブロードキャストユニット１０２であって、サービス移行メッセージは、少なくとも１つの第１スペクトル上でサービスデータを受信するように端末に命令するために用いられる、メッセージブロードキャストユニット１０２と、少なくとも１つの第１スペクトルを用いてサービスデータを端末に送信するよう構成されるデータ送信ユニット１０３とを備える。
【０１８０】
任意選択的に、第１スペクトル及び第２スペクトルは両方ともライセンススペクトルであってよい。このように、第２スペクトルのリソースが比較的低品質であるとき、例えば、無線信号強度が比較的弱く、ネットワークのアップリンク及びダウンリンク率が比較的低いとき、基地局は、伝送のために、第２スペクトル上で伝送されるサービスデータを、比較的良好なリソースを有する第１スペクトルに移行してよく、これにより、スペクトル利用率を向上させ、サービスデータ伝送速度を速め、ユーザエクスペリエンスを向上させる。詳細については、図１において示されている方法の実施形態における対応する説明を参照されたい。詳細は、ここでは繰り返して説明されない。
【０１８１】
任意選択的に、第１スペクトルはアンライセンススペクトルであり、第２スペクトルはライセンススペクトルである。この場合、基地局は、以下の２つの方式で、少なくとも１つのアンライセンススペクトルを用いてサービスデータを端末に送信してよい。
【０１８２】
方式１：基地局は、サブフレームスケジューリング方式で、少なくとも１つのアンライセンススペクトルを用いてサービスデータを端末に送信する。
【０１８３】
方式１において、少なくとも１つのアンライセンススペクトルの使用許可を取得した後、基地局は、ライセンススペクトルを用いてサービス移行メッセージを端末にブロードキャストする。サービス移行メッセージは、該少なくとも１つのアンライセンススペクトルの周波数情報と、該少なくとも１つのアンライセンススペクトルを占有するアンライセンスセルのセル識別子と、サービスデータのサービス識別子とを含んでよい。
【０１８４】
具体的には、基地局がＭのアンライセンススペクトルの使用許可を取得し、Ｍが１に等しい、又は１より大きい正の整数である場合、データ送信ユニット１０３は、サービスデータに対応するスケジューリング指示メッセージを端末に送信し、ここで、該スケジューリング指示メッセージは、サービスデータの伝送チャネル識別子を含み、該伝送チャネル識別子は、該サービスデータが伝送される伝送チャネルを示すために用いられ、該Ｍのアンライセンススペクトル上のサブフレームを用いてサービスデータを送信するよう具体的に構成される。
【０１８５】
このように、サービス移行メッセージを受信した後、端末は、アンライセンスセル識別子に対応するアンライセンスセルを監視し、周波数情報に従って、該アンライセンススペクトル上のサブフレームに対してブラインド検出を実行する。端末によりサブフレームに対して実行されるブラインド検出は、該サブフレームがサービスデータを保持するかを決定するために用いられる。
【０１８６】
さらに、ブラインド検出によって、該サブフレームがサービスデータを保持していることを検出した後、端末は、該伝送チャネル識別子に従って、対応する伝送チャネル上で伝送チャネル情報を取得する。伝送チャネル情報は、該サブフレームにおいて保持されているサービスデータにより占有される物理的リソース位置と、該サービスデータの変調及び復調方式とを示すために用いられる。このように、端末はさらに、該変調及び復調方式に従って物理的リソース位置におけるデータをデコードし、サービス識別子に従ってデコードされたデータから、該端末に必要とされているサービスデータを取得する。
【０１８７】
加えて、複数のアンライセンススペクトルの使用許可を取得したとき、基地局は、サービスデータを送信するために、毎回、全てのアンライセンススペクトルを用いなくてよい。具体的には、基地局がＭのアンライセンススペクトルの使用許可を取得し、Ｍが１より大きい正の整数である場合、データ送信ユニット１０３は、サービスデータに対応するスケジューリング指示メッセージを端末に送信し、ここで、スケジューリング指示メッセージは、サービスデータの伝送チャネル識別子と、Ｎのアンライセンススペクトルを占有するアンライセンスセルのセル識別子とを含み、該伝送チャネル識別子は、該サービスデータが伝送される伝送チャネルを示すために用いられ、該Ｎのアンライセンススペクトルは、該Ｍのアンライセンススペクトルのうち任意のＮのアンライセンススペクトルであり、Ｎは正の整数であり、かつ、１≦Ｎ≦Ｍであり、該Ｎのアンライセンススペクトル上のサブフレームを用いてサービスデータを送信するようさらに構成される。
【０１８８】
本願発明の本実施形態において、サービスデータはまた、方式１で再伝送されてよい。具体的には、端末がアンライセンスセルにおいてサービスデータを受信していない、又は正確に受信していないとき、端末は、ライセンスセル又はアンライセンスセルに再伝送指示メッセージを送信してよい。再伝送指示メッセージは、端末により受信されていないサービスデータパケットのシリアルナンバー、又は端末により正確に受信されていないサービスデータのサブフレームナンバーを含んでよい。このように、再伝送指示メッセージを受信した後、基地局は、該シリアルナンバー又は該サブフレームナンバーに従って、再伝送される必要のあるサービスデータを決定し、ライセンスセル又はアンライセンスセルを用いて、該サービスデータを端末に再伝送する。この場合、スケジューリング指示メッセージは、再伝送識別子をさらに含み、これにより、端末は、再伝送サービスデータを区別することができる。
【０１８９】
基地局はまた、該アンライセンスセル以外の別のセルを用いてサービスデータを再伝送してよい。該別のセルは、ライセンスセルであってよく、又は別のアンライセンスセルであってよい。基地局は、該別のセルを用いてサービスデータを再伝送し、これにより、「隠れノード」に起因して端末がデータを受信できないといった問題は解決できる。例えば、端末が第１セル及び第２セルに同時に位置し、第１セルの基地局と第２セルの基地局との間に比較的長い距離が存在するため、第１セルの基地局及び第２セルの基地局は、互いの存在を検出することができない。この場合、第１セルの基地局及び第２セルの基地局は、互いの隠れノードである。このように、第１セル及び第２セルがサービスデータを端末に同時に送信する場合、データ衝突が引き起こされ、これにより、端末はデータを受信することができない。第１セルが再伝送を実行する時間間隔が、第２セルが再伝送を実行する時間間隔と同じであるため、第１セルの基地局及び第２セルの基地局が同じセルを用いて再伝送を実行する場合、端末は、データ衝突に起因して、再伝送されるサービスデータを依然として受信できない。この場合、基地局は、隠れノード問題を解決するように、別のセルを用いて再伝送を実行してよい。
【０１９０】
アンライセンスセルを用いてサービスデータを再伝送するための前述した方法によれば、端末のパケット損失率が減少する。
【０１９１】
方式２：データ送信ユニット１０３は、少なくとも１つのアンライセンススペクトル上の専用サブフレームを用いてサービスデータを端末に送信し、専用サブフレームの配置情報及びサービスデータの伝送チャネル情報を端末に送信するよう具体的に構成される。
【０１９２】
該専用サブフレームは、サービスデータを保持するために具体的に用いられるサブフレームであってよい。例えば、期間内のいくつかの連続するサブフレームが、専用サブフレームとしてみなされてよく、又は、サービスデータを伝送するために用いられて配置情報により示されているサブフレームも、専用サブフレームとしてみなされてよい。
【０１９３】
任意選択的に、基地局は、サービス移行メッセージを用いて、専用サブフレームの配置情報及びサービスデータの伝送チャネル情報を端末に送信してよい。すなわち、方式２において、サービス移行メッセージは、該少なくとも１つのアンライセンススペクトルの周波数情報と、該少なくとも１つのアンライセンススペクトルを占有するアンライセンスセルのセル識別子と、該サービスデータのサービス識別子と、該専用サブフレームの配置情報と、該サービスデータの伝送チャネル情報とを含む。
【０１９４】
前述は単に、本願発明の本実施形態の可能な実装態様である。サービス移行メッセージをブロードキャストした後、基地局はまた、ライセンススペクトル上のサブフレーム、又はアンライセンススペクトル上のサブフレームを用いて、専用サブフレームの配置情報及びサービスデータの伝送チャネル情報を端末に送信してよい。このことは、本願発明において限定されるものではない。
【０１９５】
任意選択的に、専用サブフレームの配置情報は、該専用サブフレームにより占有される期間、又は該専用サブフレームの数量を含む。
【０１９６】
基地局は、専用サブフレームの開始位置について、端末と事前合意してよいことに留意すべきである。例えば、基地局は、専用サブフレームの前のサブフレームを用いて、配置情報及びサービスデータの伝送チャネル情報を送信してよい。サブフレームにおいて配置情報及びサービスデータの伝送チャネル情報を取得した後、端末は、対応する期間を占有する専用サブフレーム又は対応する数量の専用サブフレームを次のサブフレームから直接受信し始め、サービス移行メッセージにおける伝送チャネル情報及びサービス識別子に従って、専用サブフレームにおいて保持されているサービスデータを取得する。あるいは、基地局は、毎回、専用サブフレームの開始位置を端末に通知する。この場合、配置情報は、該専用サブフレームの開始位置情報をさらに含む。
【０１９７】
任意選択的に、該専用サブフレームの配置情報は、ビットマップを含み、該ビットマップは、サービスデータを保持する専用サブフレームを示すために用いられる。
【０１９８】
任意選択的に、基地局は、該専用サブフレームのうち最後のサブフレームに、指示情報を追加する。該指示メッセージは、後続のサブフレームに対してブラインド検出を実行するかを決定するように端末により用いられる。ブラインド検出は、後続のサブフレームが新しいサービスデータを保持しているかを決定するために用いられる。
【０１９９】
具体的には、基地局が少なくとも１つのアンライセンススペクトルを用いてサービスデータを送信し得ないことを指示情報が示している場合、端末は、少なくとも１つのアンライセンススペクトル上のサブフレームに対してブラインド検出を実行する必要がない場合がある。基地局が少なくとも１つのアンライセンススペクトルを用いてサービスデータを送信し得ることを指示情報が示している場合、端末は、少なくとも１つのアンライセンススペクトル上のサブフレームに対してブラインド検出を実行してよい。このように、基地局は、事前に専用サブフレームの数量を正確に決定する必要がない。グループＧｒｏｕｐサービスなど、そのデータ量が大幅に変動するサービスに対して、基地局は、専用サブフレームの近似数量を設定してよい。伝送されるべきデータの量が比較的大きいため、専用サブフレームが全てのデータを保持できないとき、基地局は、後続のサブフレームを用いて超過したデータを送信し、該専用サブフレームのうち最後のサブフレームに指示情報を追加してよく、後続のサブフレームに対してブラインド検出を実行するように端末に命令し、これにより、比較的小さいデータ量が伝送されるときの過剰の専用サブフレームにより引き起こされるサブフレーム浪費を回避する。
【０２００】
前述は、ＭＢＭＳデータを用いて、例として説明されている。しかしながら、当業者であれば、本願発明は、ユニキャストサービス伝送にも適用可能であることを認識するべきである。
【０２０１】
さらに、少なくとも１つのアンライセンススペクトルの使用許可が終了したとき、基地局は、該ライセンススペクトル又は該少なくとも１つのアンライセンススペクトルを用いて、サービス逆方向移行メッセージをブロードキャストする。該サービス逆方向移行メッセージは、該ライセンススペクトル上でサービスデータを再び受信するように端末に命令するために用いられる。
【０２０２】
前述した基地局によれば、基地局は、アンライセンススペクトルを用いてサービスデータを伝送してよく、これにより、アンライセンススペクトル利用率を向上させる。
【０２０３】
加えて、前述は単に、第１スペクトルがアンライセンススペクトルであり、第２スペクトルがライセンススペクトルである場合について説明されている。しかしながら、当業者であれば、本願発明の本実施形態は、第１スペクトル及び第２スペクトルは両方ともライセンススペクトルである場合にも適用可能であることを理解するべきである。
【０２０４】
前述した実装態様の説明に基づき、当業者は、簡便且つ簡潔な説明の目的のために、前述した機能モジュールの分割が図示のための例として用いられているに過ぎないことを明確に理解し得る。実際の適用において、実装のために、前述した機能は、要求に従って異なる機能モジュールに割り当てられることができる。すなわち、上で説明されている機能の全て又は一部を実装するために、装置の内部構造が異なる機能モジュールに分割される。前述したユニットの詳細な作動プロセスについて、前述した方法の実施形態における対応プロセスを参照されたい。詳細は、ここでは繰り返して説明されない。加えて、基地局はまた、送受信機及びプロセッサの協働によって、実現され得る。
【０２０５】
本願発明の実施形態が端末１１を提供し、図８において示されているサービスデータ伝送方法を実装する。図１１において示されているように、端末１１は、基地局により第２スペクトルを用いてブロードキャストされたサービス移行メッセージを受信するよう構成されるメッセージ受信ユニット１１１であって、サービス移行メッセージは、少なくとも１つの第１スペクトル上でサービスデータを受信するように端末に命令するために用いられる、メッセージ受信ユニット１１１と、該サービス移行メッセージに従って、基地局により該少なくとも１つの第１スペクトルを用いて送信されたサービスデータを受信するよう構成されるデータ取得ユニット１１２とを備える。
【０２０６】
任意選択的に、第１スペクトル及び第２スペクトルは両方ともライセンススペクトルであってよい。このように、第２スペクトルのリソースが比較的低品質であるとき、例えば、無線信号強度が比較的弱く、ネットワークのアップリンク及びダウンリンク率が比較的低いとき、基地局は、伝送のために、第２スペクトル上で伝送されるサービスデータを、比較的良好なリソースを有する第１スペクトルに移行してよく、これにより、スペクトル利用率を向上させ、サービスデータ伝送速度を速め、ユーザエクスペリエンスを向上させる。詳細について、図８において示されている方法の実施形態の対応する説明を参照されたい。詳細は、ここでは繰り返して説明されない。
【０２０７】
任意選択的に、第１スペクトルは、アンライセンススペクトルであり、第２スペクトルは、ライセンススペクトルである。この場合、端末は、以下の２つの方式で、基地局により端末に送信されるサービスデータを受信し得る。
【０２０８】
方式１；端末は、基地局により、スケジューリング方式で、少なくとも１つのアンライセンススペクトルを用いて送信されるサービスデータを受信する。
【０２０９】
少なくとも１つのアンライセンススペクトルの使用許可を取得した後、基地局は、ライセンススペクトルを用いて、サービス移行メッセージを端末に送信する。該サービス移行メッセージは、該少なくとも１つのアンライセンススペクトルの周波数情報と、該少なくとも１つのアンライセンススペクトルを占有するアンライセンスセルのセル識別子と、該サービスデータのサービス識別子とを含んでよい。
【０２１０】
さらに、基地局がＭのアンライセンススペクトルの使用許可を取得し、Ｍが１に等しい、又は１より大きい正の整数である場合、データ取得ユニット１１２は、該サービス移行メッセージに従って、基地局により該Ｍのアンライセンススペクトルを用いて送信されたサブフレームを受信するよう具体的に構成される。メッセージ受信ユニット１１２は、基地局により送信されたスケジューリング指示メッセージを受信するようさらに構成され、ここで、該スケジューリング指示メッセージは、該サービスデータの伝送チャネル識別子を含み、該伝送チャネル識別子は、該サービスデータが伝送される伝送チャネルを示すために用いられる。データ取得ユニット１１２は、スケジューリング指示メッセージに従って、サブフレームにおいて保持されているサービスデータを取得するようさらに構成される。
【０２１１】
スケジューリング指示メッセージは、基地局により、ライセンススペクトルを用いて送信されてよく、又は基地局によりアンライセンススペクトルを用いて送信されてよい。
【０２１２】
具体的には、サービス移行メッセージを受信した後、端末は、該アンライセンスセル識別子に対応するアンライセンスセルを監視し、該周波数情報に従って、該アンライセンススペクトル上のサブフレームに対してブラインド検出を実行する。ブラインド検出によって、サブフレームがサービスデータを保持していることを検出した後、端末は、該伝送チャネル識別子に従って、対応する伝送チャネル上で伝送チャネル情報を取得する。伝送チャネル情報は、該サブフレームにおいて保持されているサービスデータにより占有される物理的リソース位置と、該サービスデータの変調及び復調方式とを示すために用いられる。このように、端末はさらに、該変調及び復調方式に従って、物理的リソース位置におけるデータをデコードし、該サービス識別子に従ってデコードされたデータから、該端末に必要とされているサービスデータを取得する。
【０２１３】
複数のアンライセンススペクトルの使用許可を取得したとき、基地局は、サービスデータを送信するために、毎回、全てのアンライセンススペクトルを用いなくてよいことに留意すべきである。具体的には、基地局がＭのアンライセンススペクトルの使用許可を取得し、Ｍが１より大きい正の整数であるとき、メッセージ受信ユニット１１１は、基地局により送信されたスケジューリング指示メッセージを受信するよう具体的に構成される。スケジューリング指示メッセージは、該サービスデータの伝送チャネル識別子と、Ｎのアンライセンススペクトルを占有するアンライセンスセルのセル識別子とを含む。該伝送チャネル識別子は、該サービスデータが伝送される伝送チャネルを示すために用いられる。該Ｎのアンライセンススペクトルは、該Ｍのアンライセンススペクトルのうち任意のＮのアンライセンススペクトルであり、Ｎは正の整数であり、かつ、１≦Ｎ≦Ｍである。データ取得ユニット１１２は、サービス移行メッセージに従って、基地局により該Ｎのアンライセンススペクトルを用いて送信されたサブフレームを受信し、該スケジューリング指示メッセージに従って、該Ｎのアンライセンススペクトル上のサブフレームにおいて保持されているサービスデータを取得するようさらに構成される。
【０２１４】
すなわち、サービス移行メッセージにおけるアンライセンスセルのセル識別子は、基地局がサービスデータを伝送し得るアンライセンスセルのセル識別子を指してよい。例えば、基地局が第１アンライセンススペクトルの使用許可及び第２アンライセンススペクトルの使用許可を取得した場合、サービス移行メッセージにおいて保持されているセル識別子は、第１アンライセンススペクトルを占有するアンライセンスセルのセル識別子、及び第２アンライセンススペクトルを占有するアンライセンスセルのセル識別子である。しかしながら、スケジューリング指示メッセージにおけるセル識別子は、サービスデータが現在送信されているアンライセンスセルのセル識別子であってよく、スケジューリング指示メッセージのセル識別子は、第１アンライセンススペクトルを占有するアンライセンスセルのセル識別子、及び／又は第２アンライセンススペクトルを占有するアンライセンスセルのセル識別子であってよい。
【０２１５】
任意選択的に、方式１において、端末がアンライセンスセルにおいてサービスデータを受信していない、又は正確に受信していないとき、端末は、ライセンスセル又はアンライセンスセルに再伝送指示メッセージを送信してよい。再伝送指示メッセージは、端末により受信されていないサービスデータパケットのシリアルナンバー、又は端末により正確に受信されていないサービスデータのサブフレームナンバーを含んでよい。このように、再伝送指示メッセージを受信した後、基地局は、該シリアルナンバー又は該サブフレームナンバーに従って、再伝送される必要があるサービスデータを決定し、該ライセンスセル又は該アンライセンスセルを用いて、該サービスデータを端末に再伝送する。この場合、スケジューリング指示メッセージは、再伝送識別子をさらに含んでよく、これにより、端末は、再伝送されるサービスデータを区別することができる。
【０２１６】
基地局はまた、アンライセンスセル以外の別のセルを用いて、サービスデータを再伝送してよい。該別のセルは、ライセンスセルであってよく、又は別のアンライセンスセルであってよい。基地局は、該別のセルを用いてサービスデータを再伝送し、これにより、端末が「隠れノード」に起因してデータを受信できないといった問題は解決できる。例えば、端末が第１セル及び第２セルに同時に位置し、第１セルの基地局と第２セルの基地局との間に比較的長い距離が存在するため、第１セルの基地局及び第２セルの基地局は、互いの存在を検出することができない。この場合、第１セルの基地局及び第２セルの基地局は、互いの隠れノードである。このように、第１セル及び第２セルがサービスデータを端末に同時に送信する場合、データ衝突が引き起こされ、これにより、端末は、データを受信できない。第１セルが再伝送を実行する時間間隔が、第２セルが再伝送を実行する時間間隔と同じであるため、第１セルの基地局及び第２セルの基地局が同じセルを用いて再伝送を実行する場合、端末は、データ衝突に起因して、再伝送されるサービスデータを依然として受信できない。この場合、基地局は、別のセルを用いて再伝送を実行してよく、これにより、隠れノード問題を解決する。
【０２１７】
アンライセンスセルを用いてサービスデータを再伝送するための前述した方法によれば、端末のパケット損失率が減少する。
【０２１８】
方式２：メッセージ受信ユニット１１１は、基地局により送信された、専用サブフレームの配置情報及びサービスデータの伝送チャネル情報を受信するようさらに構成され、データ取得ユニット１１２は、サービス移行メッセージと、専用サブフレームの配置情報と、サービスデータの伝送チャネル情報とに従って、該少なくとも１つのアンライセンススペクトル上の専用サブフレームにおいて保持されているサービスデータを取得するよう具体的に構成される。
【０２１９】
専用サブフレームは、サービスデータを保持するために具体的に用いられるサブフレームであってよい。例えば、期間内のいくつかの連続するサブフレームが、専用サブフレームとしてみなされてよく、又は、サービスデータを伝送するために用いられて配置情報により示されているサブフレームも、専用サブフレームとしてみなされてよい。
【０２２０】
任意選択的に、基地局は、サービス移行メッセージを用いて、専用サブフレームの配置情報及びサービスデータの伝送チャネル情報を端末に送信してよい。すなわち、方式２において、サービス移行メッセージは、該少なくとも１つのアンライセンススペクトルの周波数情報と、該少なくとも１つのアンライセンススペクトルを占有するアンライセンスセルのセル識別子と、該サービスデータのサービス識別子と、該専用サブフレームの配置情報と、該サービスデータの伝送チャネル情報とを含む。
【０２２１】
前述は単に、本願発明の本実施形態の可能な実装態様である。サービス移行メッセージをブロードキャストした後、基地局はまた、ライセンススペクトル上のサブフレーム、又はアンライセンススペクトル上のサブフレームを用いて、専用サブフレームの配置情報及びサービスデータの伝送チャネル情報を端末に送信してよい。このことは、本願発明において限定されるものではない。
【０２２２】
任意選択的に、全ての専用サブフレームがサービスデータを保持している場合、専用サブフレームの配置情報は、該専用サブフレームにより占有される期間、又は該専用サブフレームの数量を含む。
【０２２３】
基地局は、専用サブフレームの開始位置について、端末と事前合意してよいことに留意すべきである。例えば、基地局は、専用サブフレームの前のサブフレームを用いて、配置情報及びサービスデータの伝送チャネル情報を送信してよい。サブフレームにおいて配置情報及びサービスデータの伝送チャネル情報を取得した後、端末は、対応する期間を占有する専用サブフレーム又は対応する数量の専用サブフレームを次のサブフレームから直接受信し始め、サービス移行メッセージにおける伝送チャネル情報及びサービス識別子に従って、専用サブフレームにおいて保持されているサービスデータを取得する。あるいは、基地局は、毎回、専用サブフレームの開始位置を端末に通知してよい。この場合、配置情報は、該専用サブフレームの開始位置情報をさらに含む。
【０２２４】
任意選択的に、該専用サブフレームの配置情報は、ビットマップを含み、該ビットマップは、サービスデータを保持する専用サブフレームを示すために用いられる。
【０２２５】
任意選択的に、端末は、該専用サブフレームのうち最後のサブフレームにおいて保持されている指示情報に従って、後続のサブフレームに対してブラインド検出を実行するかを決定するよう構成される決定ユニット１１３をさらに備え、ブラインド検出は、後続のサブフレームが新しいサービスデータを保持しているかを決定するために用いられる。
【０２２６】
具体的には、基地局が少なくとも１つのアンライセンススペクトルを用いて、サービスデータを送信し得ないことを指示情報が示している場合、端末は、該少なくとも１つのアンライセンススペクトル上のサブフレームに対してブラインド検出を実行する必要がない場合がある。基地局が少なくとも１つのアンライセンススペクトルを用いて、サービスデータを送信し得ることを指示情報が示している場合、端末は、該少なくとも１つのアンライセンススペクトル上のサブフレームに対してブラインド検出を実行してよい。このように、基地局は、事前に専用サブフレームの数量を正確に決定する必要がない。グループＧｒｏｕｐサービスなど、そのデータ量が大幅に変動するサービスについて、基地局は、専用サブフレームの近似数量を設定してよい。伝送されるべきデータの量が比較的大きいため、専用サブフレームが全てのデータを保持できないとき、基地局は、後続のサブフレームを用いて、超過したデータを送信し、該専用サブフレームのうち最後のサブフレームに指示情報を追加してよく、後続のサブフレームに対してブラインド検出を実行するように端末に命令し、これにより、比較的小さいデータ量が伝送されるときの過剰の専用サブフレームにより引き起こされるサブフレーム浪費を回避する。
【０２２７】
さらに、端末は、基地局によりライセンススペクトル又は少なくとも１つのアンライセンススペクトルを用いてブロードキャストされたサービス逆方向移行メッセージを受信し、該サービス逆方向移行メッセージに従って、該ライセンススペクトル上でサービスデータを再び受信する。
【０２２８】
加えて、前述は単に、第１スペクトルがアンライセンススペクトルであり、第２スペクトルがライセンススペクトルである場合について説明されている。しかしながら、当業者は、本願発明の本実施形態は、第１スペクトル及び第２スペクトルが両方ともライセンススペクトルである場合にも適用可能であることを理解するべきである。
【０２２９】
前述した実装態様の説明に基づき、当業者は、簡便且つ簡潔な説明の目的のために、前述した機能モジュールの分割は単に、図示のための例として用いられることを明確に理解し得る。実際の適用において、要求に従って、実装のために、前述した機能は異なる機能モジュールに割り当てられることができる。すなわち、上で説明されている機能の全て又は一部を実装するために、装置の内部構造が、異なる機能モジュールに分割される。前述したユニットの詳細な作動プロセスについて、前述した方法の実施形態における対応プロセスを参照されたい。詳細は、ここで繰り返して説明されない。加えて、端末はまた、送受信機及びプロセッサの協働によって、実現され得る。
【０２３０】
本願発明の実施形態が別の基地局１２を提供する。図１２において示されているように、基地局１２は、バス１２１と、バスに接続されるプロセッサ１２２、メモリ１２３、入力モジュール１２４、及び出力モジュール１２５とを備える。プロセッサ１２２、メモリ１２３、入力モジュール１２４、及び出力モジュール１２５は、バス１２１を用いて互いと通信する。入力モジュール１２４及び出力モジュール１２５は、外部デバイスと相互作用するよう構成される。
【０２３１】
プロセッサ１２２は、マルチコア中央処理装置ＣＰＵ、又は特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、又は本願発明の実施形態を実装するよう構成される１つ又は複数の集積回路であってよい。
【０２３２】
メモリ１２３は、命令を格納するよう構成され、ここで、プログラムコードは、計算機演算命令及びネットワークフロー図を含む。メモリ１２３は、高速ＲＡＭメモリを含んでよく、少なくとも１つの磁気ディスクメモリなどの不揮発性メモリ（ｎｏｎ−ｖｏｌａｔｉｌｅ  ｍｅｍｏｒｙ）をさらに含んでよい。メモリ１２３は、メモリアレイであってよい。
【０２３３】
基地局１２は、プロセッサ１２２、入力モジュール１２４、及び出力モジュール１２５の協働によって、図３において示されている全ての方法の実施形態を実装する。詳細について、図３に対応する方法の実施形態の対応する説明を参照されたい。詳細は、ここでは繰り返して説明されない。
【０２３４】
本願発明の実施形態が別の端末１３を提供する。図１３において示されているように、基地局１３は、バス１３１と、バスに接続されるプロセッサ１３２、メモリ１３３、入力モジュール１３４、及び出力モジュール１３５とを備える。プロセッサ１３２、メモリ１３３、入力モジュール１３４、及び出力モジュール１３５は、バス１３１を用いて互いと通信する。入力モジュール１３４及び出力モジュール１２５は、外部デバイスと相互作用するよう構成される。
【０２３５】
プロセッサ１３２は、マルチコア中央処理装置ＣＰＵ、又は特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、又は本願発明の実施形態を実装するよう構成される１つ又は複数の集積回路であってよい。
【０２３６】
メモリ１３３は、命令を格納するように構成され、ここで、プログラムコードは、計算機演算命令及びネットワークフロー図を含む。メモリ１３３は、高速ＲＡＭメモリを含んでよく、少なくとも１つの磁気ディスクメモリなどの不揮発性メモリ（ｎｏｎ−ｖｏｌａｔｉｌｅ  ｍｅｍｏｒｙ）をさらに含んでよい。メモリ１３３は、メモリアレイであってよい。
【０２３７】
端末１３は、プロセッサ１３２、入力モジュール１３４、及び出力モジュール１３５の協働によって、図８において示されている全ての方法の実施形態を実装する。詳細について、図８に対応する方法の実施形態の対応する説明を参照されたい。詳細は、ここでは繰り返して説明されない。
【０２３８】
本願に提供されているいくつかの実施形態において、開示されている装置及び方法が別の方式で実装され得ることが理解されるべきである。例えば、説明されている装置の実施形態は例に過ぎない。例えば、ユニット分割は単に、論理機能の分割であり、実際の実装態様においては他の分割であってよい。例えば、複数のユニット又は構成要素は、組み合わせられてよく、又は別のシステム内に統合されてよく、又はいくつかの特徴が無視され、又は実行されなくてよい。
【０２３９】
加えて、本願発明の実施形態の装置において、機能ユニットが１つのプロセッシングユニット内に統合されてよく、又はユニットのそれぞれが、物理的に単独で存在してよく、又は２つ又はそれより多いユニットが１つのユニット内に統合されてよい。ユニットは、ハードウェアの形式で実装されてよく、又は、ソフトウェア機能ユニットに加えて、ハードウェアの形式で実装されてよい。
【０２４０】
方法の実施形態の段階の全て又はいくつかは、プログラム命令関連ハードウェアにより実装され得る。プログラムは、コンピュータ可読記憶媒体に格納されてよい。プログラムが動作しているとき、方法の実施形態の段階が実行される。前述した記憶媒体は、ＵＳＢフラッシュドライブ、取り外し可能ハードディスク、ＲＯＭ（Ｒｅａｄ  Ｏｎｌｙ  Ｍｅｍｏｒｙ、リードオンリーメモリ）、ＲＡＭ（Ｒａｎｄｏｍ  Ａｃｃｅｓｓ  Ｍｅｍｏｒｙ、ランダムアクセスメモリ）、磁気ディスク、又は光ディスクなど、プログラムコードを格納できる任意の媒体を含む。
【０２４１】
前述した説明は、本願発明の具体的な実装態様に過ぎず、本願発明の保護範囲を制限することを意図するものではない。本願発明において開示されている技術的範囲内において当業者により容易に想到されるあらゆる変更又は置換は、本願発明の保護範囲内に含まれるものとする。従って、本願発明の保護範囲は、特許請求の範囲の保護範囲に従うものとする。
【図１】
0006517354.tif 000002
【図２】
0006517354.tif 000003
【図３】
0006517354.tif 000004
【図４】
0006517354.tif 000005
【図５】
0006517354.tif 000006
【図６】
0006517354.tif 000007
【図７】
0006517354.tif 000008
【図８】
0006517354.tif 000009
【図９】
0006517354.tif 000010
【図１０】
0006517354.tif 000011
【図１１】
0006517354.tif 000012
【図１２】
0006517354.tif 000013
【図１３】
0006517354.tif 000014